(57)【特許請求の範囲】
【請求項１】
ユーザ機器（ＵＥ）におけるワイヤレス通信のための方法であって、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも基づいて、共有無線周波数スペクトル帯域上で前記パーシャルサブフレームに関してスケジュールされたデータを受信することと、
を備える、方法。
【請求項２】
無線リソース制御（ＲＲＣ）メッセージ中の前記半静的パーシャルサブフレーム構成を受信すること
をさらに備える、請求項１に記載の方法。
【請求項３】
前記半静的パーシャルサブフレーム構成が、リソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、請求項１に記載の方法。
【請求項４】
動的パーシャルサブフレーム構成を受信することと、
前記動的パーシャルサブフレーム構成に少なくとも基づいて、前記パーシャルサブフレームに関してスケジュールされた前記データを受信することと、
をさらに備える、請求項１に記載の方法。
【請求項５】
前記半静的パーシャルサブフレーム構成が、時間領域多重化（ＴＤＭ）構成または周波数領域多重化（ＦＤＭ）構成のうちの少なくとも１つを備える、請求項１に記載の方法。
【請求項６】
前記パーシャルサブフレームのための前記許可が、ハイブリッド自動再送要求（ＨＡＲＱ）識別子（ＩＤ）、または再送信インデックス、または新規データインジケータ（ＮＤＩ）、あるいはそれらの組合せを備える、請求項１に記載の方法。
【請求項７】
前記許可が専用無線周波数スペクトル帯域上で受信される、請求項１に記載の方法。
【請求項８】
前記半静的パーシャルサブフレーム構成に少なくとも基づいて、前記共有無線周波数スペクトル帯域上で複数のパーシャルサブフレームに関してスケジュールされたデータを受信すること
をさらに備える、請求項１に記載の方法。
【請求項９】
少なくとも１つのフルサブフレーム中の、前記パーシャルサブフレーム中で最初に送信されたデータの再送信を受信すること
をさらに備える、請求項１に記載の方法。
【請求項１０】
前記半静的パーシャルサブフレーム構成が、サブフレームの始端において、またはサブフレームの終端において生じるパーシャルサブフレームのためのものである、請求項１に記載の方法。
【請求項１１】
前記半静的パーシャルサブフレーム構成は、前記半静的パーシャルサブフレーム構成が適用されるパーシャルサブフレームのタイプを示す、請求項１に記載の方法。
【請求項１２】
前記パーシャルサブフレームタイプがパーシャルサブフレームの長さに少なくとも基づく、請求項１１に記載の方法。
【請求項１３】
前記パーシャルサブフレームの前記長さに少なくとも基づいて、前記パーシャルサブフレームがアップリンクパーシャルサブフレームであるのかダウンリンクパーシャルサブフレームであるのかを決定すること
をさらに備える、請求項１２に記載の方法。
【請求項１４】
前記パーシャルサブフレームがアップリンクパーシャルサブフレームであるのかダウンリンクパーシャルサブフレームであるのかを決定した後に、
最初のまたは最後のパーシャルサブフレームの少なくとも１つのパラメータを調整すること
をさらに備える、請求項１３に記載の方法。
【請求項１５】
前記少なくとも１つのパラメータを調整することが、
所定の構成のリストから選択すること
を備える、請求項１４に記載の方法。
【請求項１６】
前記半静的パーシャルサブフレーム構成が適用されるパーシャルサブフレームの数、
前記半静的パーシャルサブフレーム構成が適用されるダウンリンクバーストの数、
前記半静的パーシャルサブフレーム構成が適用される持続時間、または、
代替指示が受信されるまで前記半静的パーシャルサブフレーム構成が適用されるという指示
のうちの少なくとも１つの指示を受信すること
をさらに備える、請求項１に記載の方法。
【請求項１７】
ユーザ機器（ＵＥ）におけるワイヤレス通信のための装置であって、
プロセッサと、
前記プロセッサと電子通信しているメモリと
を備え、
前記プロセッサおよびメモリは、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも基づいて、共有無線周波数スペクトル帯域上で前記パーシャルサブフレームに関してスケジュールされたデータを受信することと、
を行うように構成された、装置。
【請求項１８】
前記プロセッサおよびメモリは、
無線リソース制御（ＲＲＣ）メッセージ中の前記半静的パーシャルサブフレーム構成を受信すること
を行うようにさらに構成された、請求項１７に記載の装置。
【請求項１９】
前記半静的パーシャルサブフレーム構成が、リソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、請求項１７に記載の装置。
【請求項２０】
前記プロセッサおよびメモリは、
動的パーシャルサブフレーム構成を受信することと、
前記動的パーシャルサブフレーム構成に少なくとも基づいて、前記パーシャルサブフレームに関してスケジュールされた前記データを受信することと、
を行うようにさらに構成された、請求項１７に記載の装置。
【請求項２１】
前記半静的パーシャルサブフレーム構成が、時間領域多重化（ＴＤＭ）構成または周波数領域多重化（ＦＤＭ）構成のうちの少なくとも１つを備える、請求項１７に記載の装置。
【請求項２２】
前記パーシャルサブフレームのための前記許可が、ハイブリッド自動再送要求（ＨＡＲＱ）識別子（ＩＤ）、または再送信インデックス、または新規データインジケータ（ＮＤＩ）、あるいはそれらの組合せを備える、請求項１７に記載の装置。
【請求項２３】
前記許可が専用無線周波数スペクトル帯域上で受信される、請求項１７に記載の装置。
【請求項２４】
前記プロセッサおよびメモリは、
前記半静的パーシャルサブフレーム構成に少なくとも基づいて、前記共有無線周波数スペクトル帯域上で複数のパーシャルサブフレームに関してスケジュールされたデータを受信すること
を行うようにさらに構成された、請求項１７に記載の装置。
【請求項２５】
前記プロセッサおよびメモリは、
少なくとも１つのフルサブフレーム中の、前記パーシャルサブフレーム中で最初に送信されたデータの再送信を受信すること
を行うようにさらに構成された、請求項１７に記載の装置。
【請求項２６】
前記半静的パーシャルサブフレーム構成が、サブフレームの始端において、またはサブフレームの終端において生じるパーシャルサブフレームのためのものである、請求項１７に記載の装置。
【請求項２７】
前記半静的パーシャルサブフレーム構成は、前記半静的パーシャルサブフレーム構成が適用されるパーシャルサブフレームのタイプを示す、請求項１７に記載の装置。
【請求項２８】
パーシャルサブフレームの前記タイプがパーシャルサブフレームの長さに少なくとも基づく、請求項２７に記載の装置。
【請求項２９】
ユーザ機器（ＵＥ）におけるワイヤレス通信のための装置であって、
半静的パーシャルサブフレーム構成と、対応するパーシャルサブフレーム識別子とを受信するための手段、ここにおいて、前記半静的パーシャルサブフレーム構成は、制御部分およびデータ部分を有するパーシャルサブフレーム持続時間に関連する、と、
パーシャルサブフレームのための許可を受信するための手段、前記許可が前記パーシャルサブフレーム識別子を識別する、と、
前記半静的パーシャルサブフレーム構成に少なくとも基づいて、共有無線周波数スペクトル帯域上で前記パーシャルサブフレームに関してスケジュールされたデータを受信するための手段と、
を備える、装置。
【請求項３０】
ワイヤレス通信のためのコンピュータ実行可能コードを記憶する非一時的コンピュータ可読媒体であって、前記コードは、
半静的パーシャルサブフレーム構成と、対応するパーシャルサブフレーム識別子とを受信すること、ここにおいて、前記半静的パーシャルサブフレーム構成は、制御部分およびデータ部分を有するパーシャルサブフレーム持続時間に関連する、と、
パーシャルサブフレームのための許可を受信すること、前記許可が前記パーシャルサブフレーム識別子を識別する、と、
前記半静的パーシャルサブフレーム構成に少なくとも基づいて、共有無線周波数スペクトル帯域上で前記パーシャルサブフレームに関してスケジュールされたデータを受信することと、
をプロセッサによって実行可能である命令を備える、非一時的コンピュータ可読媒体。
【発明の詳細な説明】
【技術分野】
【０００１】
相互参照
[0001]本特許出願は、各々が本出願の譲受人に譲渡された、２０１６年３月２４日に出願された、「Techniques for Managing Communications in a Shared Radio Frequency Spectrum Band」と題する、Ｙｅｒｒａｍａｌｌｉらによる米国特許出願第１５／０８０，３９３号、および２０１５年４月１７日に出願された、「Techniques For Managing Communications In A Shared Radio Frequency Spectrum Band」と題する、Ｙｅｒｒａｍａｌｌｉらによる米国仮特許出願第６２／１４９，３７３号の優先権を主張する。
【０００２】
[0002]本開示は、たとえば、ワイヤレス通信システムに関し、より詳細には、共有無線周波数スペクトル帯域（shared radio frequency spectrum band）における通信を管理するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]例として、ワイヤレス多元接続通信システムは、各々が、場合によってはユーザ機器（ＵＥ）として知られる、複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの共有無線周波数スペクトル帯域において、または異なる無線周波数スペクトル帯域（たとえば、専用無線周波数スペクトル帯域および共有無線周波数スペクトル帯域）において基地局とＵＥとの間の通信を可能にし得る。専用（たとえば、認可）無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者に拡張データ送信容量のための機会を与え得る。共有無線周波数スペクトル帯域はまた、専用無線周波数スペクトル帯域へのアクセスが利用不可能であるエリア中でサービスを与え得る。
【発明の概要】
【０００６】
[0006]本開示は、たとえば、共有無線周波数スペクトル帯域における通信を管理するための１つまたは複数の技法に関する。より詳細には、本技法は、パーシャルサブフレーム（partial subframe）送信の処理、チャネル予約信号送信とセル固有基準信号（ＣＲＳ：cell-specific reference signal）送信との間のあいまいさの除去、ダウンリンクアップリンク送信構成の指示、２次コンポーネントキャリア（ＳＣＣ：secondary component carrier）上のランダムアクセスチャネル（ＲＡＣＨ：random access channel）オケージョン（occasion）の指示、アップリンク専用モードの有効化、またはコロケートされるサービングセルの指示に関する。
【０００７】
[0007]一例では、ＵＥにおけるワイヤレス通信のための方法について説明する。本方法は、半静的パーシャルサブフレーム構成（semi-static partial subframe configuration）と、対応するパーシャルサブフレーム識別子とを受信することと、パーシャルサブフレームのための許可を受信すること、ここで、許可がパーシャルサブフレーム識別子を識別する、と、半静的パーシャルサブフレーム構成に少なくとも部分的に基づいて、共有無線周波数スペクトル帯域上でパーシャルサブフレームに関してスケジュールされたデータを受信することと、を含み得る。
【０００８】
[0008]いくつかの例では、本方法は、無線リソース制御（ＲＲＣ：radio resource control）メッセージ中で半静的パーシャルサブフレーム構成を受信することをさらに含み得る。いくつかの例では、半静的パーシャルサブフレーム構成は、少なくともリソースブロック（ＲＢ：resource block）割振りタイプ、またはＲＢ割振り、または送信ランク、または変調およびコーディング方式（ＭＣＳ：modulation and coding scheme）、またはトランスポートブロックサイズ（ＴＢＳ：transport block size）テーブル、あるいはそれらの組合せを含み得る。いくつかの例では、本方法は、動的パーシャルサブフレーム構成を受信することと、動的パーシャルサブフレーム構成に少なくとも部分的に基づいて、パーシャルサブフレームに関してスケジュールされたデータを受信することとを含み得る。いくつかの例では、半静的パーシャルサブフレーム構成は、時間領域多重化（ＴＤＭ：time domain multiplexed）構成または周波数領域多重化（ＦＤＭ：frequency domain multiplexed）構成のうちの少なくとも１つを含み得る。いくつかの例では、パーシャルサブフレームのための許可は、少なくともハイブリッド自動再送要求（ＨＡＲＱ：hybrid automatic repeat request）識別子（ＩＤ）、または再送信インデックス、または新規データインジケータ（ＮＤＩ：new data indicator）、あるいはそれらの組合せを含み得る。いくつかの例では、許可は専用無線周波数スペクトル帯域上で受信され得る。
【０００９】
[0009]いくつかの例では、本方法は、半静的パーシャルサブフレーム構成に少なくとも部分的に基づいて、共有無線周波数スペクトル帯域上で複数のパーシャルサブフレームに関してスケジュールされたデータを受信することをさらに含み得る。いくつかの例では、本方法は、少なくとも１つのフルサブフレーム中で、パーシャルサブフレーム中で最初に送信されたデータの再送信を受信することをさらに含み得る。いくつかの例では、半静的パーシャルサブフレーム構成は、サブフレームの始端において、またはサブフレームの終端において生じるパーシャルサブフレームのためのものであり得る。いくつかの例では、半静的パーシャルサブフレーム構成は、半静的パーシャルサブフレーム構成が適用されるパーシャルサブフレームのタイプを示し得る。いくつかの例では、パーシャルサブフレームのタイプはパーシャルサブフレームの長さに少なくとも部分的に基づき得る。いくつかの例では、本方法は、半静的パーシャルサブフレーム構成が適用されるパーシャルサブフレームの数、半静的パーシャルサブフレーム構成が適用されるダウンリンクバーストの数、半静的パーシャルサブフレーム構成が適用される持続時間、または代替指示が受信されるまで半静的パーシャルサブフレーム構成が適用されるという指示のうちの少なくとも１つの指示を受信することをさらに含み得る。いくつかの例では、パーシャルサブフレームタイプはパーシャルサブフレームの長さに少なくとも部分的に基づき得、たとえば、パーシャルサブフレームの長さは、パーシャルサブフレームがアップリンク（ＵＬ）パーシャルサブフレームであるのかダウンリンク（ＤＬ）パーシャルサブフレームであるのかを決定し得る。ＵＬパーシャルサブフレームの場合、ＵＥは、ＨＡＲＱパラメータ、ＭＳＣパラメータなどを調整することなど、最初のおよび／または最後のＵＬパーシャルサブフレームに関連付けられたパラメータを自律的に調整し得る。別の例では、ＵＥは、事前構成された構成のリストから、調整すべきパラメータを選択し得る。
【００１０】
[0010]一例では、ＵＥにおけるワイヤレス通信のための装置について説明する。本装置は、半静的パーシャルサブフレーム構成と、対応するパーシャルサブフレーム識別子とを受信するための手段と、パーシャルサブフレームのための許可を受信するための手段、ここで、許可がパーシャルサブフレーム識別子を識別する、と、半静的パーシャルサブフレーム構成に少なくとも部分的に基づいて、共有無線周波数スペクトル帯域上でパーシャルサブフレームに関してスケジュールされたデータを受信するための手段と、を含み得る。
【００１１】
[0011]一例では、ＵＥにおけるワイヤレス通信のための別の装置について説明する。本装置は、プロセッサと、プロセッサと電子通信しているメモリと、メモリに記憶された命令とを含み得る。命令は、半静的パーシャルサブフレーム構成と、対応するパーシャルサブフレーム識別子とを受信することと、パーシャルサブフレームのための許可を受信すること、ここで、許可がパーシャルサブフレーム識別子を識別する、と、半静的パーシャルサブフレーム構成に少なくとも部分的に基づいて、共有無線周波数スペクトル帯域上でパーシャルサブフレームに関してスケジュールされたデータを受信することと、を行うためにプロセッサによって実行可能であり得る。
【００１２】
[0012]一例では、ワイヤレス通信のためのコンピュータ実行可能コードを記憶する非一時的コンピュータ可読媒体について説明する。一例では、コードは、半静的パーシャルサブフレーム構成と、対応するパーシャルサブフレーム識別子とを受信することと、パーシャルサブフレームのための許可を受信すること、ここで、許可がパーシャルサブフレーム識別子を識別する、と、半静的パーシャルサブフレーム構成に少なくとも部分的に基づいて、共有無線周波数スペクトル帯域上でパーシャルサブフレームに関してスケジュールされたデータを受信することと、を行うためにプロセッサによって実行可能であり得る。
【００１３】
[0013]一例では、ＵＥにおけるワイヤレス通信のための別の方法について説明する。本方法は、共有無線周波数スペクトル帯域上でパーシャルサブフレームに関してスケジュールされた第１のデータを受信すること、ここで、パーシャルサブフェイムが、フルサブフレームとして符号化されたサブフレームの一部分を含む、と、共有無線周波数スペクトル帯域上でフルサブフレームに関してスケジュールされた第２のデータを受信すること、ここで、第１のデータと第２のデータとが別様に符号化される、とを含み得る。
【００１４】
[0014]本方法のいくつかの例では、第１のデータは、第１のデータがその上で受信されるチャネルのチャネル品質によってサポートされる第２のＭＣＳまたは第２のＴＢＳよりも低い第１のＭＣＳまたは第１のＴＢＳのうちの少なくとも１つを使用して符号化され得る。いくつかの例では、第１のデータは、フルサブフレームのために符号化されたデータの一部分を含み得る。
【００１５】
[0015]一例では、ＵＥにおけるワイヤレス通信のための別の装置について説明する。本装置は、共有無線周波数スペクトル帯域上でパーシャルサブフレームに関してスケジュールされた第１のデータを受信するための手段、ここで、パーシャルサブフェイムが、フルサブフレームとして符号化されたサブフレームの一部分を含む、と、共有無線周波数スペクトル帯域上でフルサブフレームに関してスケジュールされた第２のデータを受信するための手段、ここで、第１のデータと第２のデータとが別様に符号化される、と、を含み得る。
【００１６】
[0016]一例では、ＵＥにおけるワイヤレス通信のための別の装置について説明する。本装置は、プロセッサと、プロセッサと電子通信しているメモリと、メモリに記憶された命令とを含み得る。命令は、共有無線周波数スペクトル帯域上でパーシャルサブフレームに関してスケジュールされた第１のデータを受信すること、ここで、パーシャルサブフェイムが、フルサブフレームとして符号化されたサブフレームの一部分を含む、と、共有無線周波数スペクトル帯域上でフルサブフレームに関してスケジュールされた第２のデータを受信すること、ここで、第１のデータと第２のデータとが別様に符号化される、と、を行うためにプロセッサによって実行可能であり得る。
【００１７】
[0017]一例では、ワイヤレス通信のためのコンピュータ実行可能コードを記憶する別の非一時的コンピュータ可読媒体について説明する。コードは、共有無線周波数スペクトル帯域上でパーシャルサブフレームに関してスケジュールされた第１のデータを受信すること、ここで、パーシャルサブフェイムが、フルサブフレームとして符号化されたサブフレームの一部分を含む、と、共有無線周波数スペクトル帯域上でフルサブフレームに関してスケジュールされた第２のデータを受信すること、ここで、第１のデータと第２のデータとが別様に符号化される、とを行うためにプロセッサによって実行可能であり得る。
【００１８】
[0018]一例では、ＵＥにおけるワイヤレス通信のための別の方法について説明する。本方法は、共有無線周波数スペクトル帯域上でパーシャルサブフレームの制御チャネルを受信すること、ここで、制御チャネルに割り振られたリソースの第１の量が、パーシャルサブフレームに割り振られたリソースの第２の量に少なくとも部分的に基づく、を含み得る。
【００１９】
[0019]本方法のいくつかの例では、制御チャネルは拡張物理データ制御チャネル（ＥＰＤＣＣＨ：enhanced physical data control channel）を含み得る。いくつかの例では、制御チャネルに割り振られたリソースの第１の量は周波数リソースの量を含み得る。いくつかの例では、パーシャルサブフレームに割り振られたリソースの第２の量が時間リソースのより少ない量を含むとき、周波数リソースの量は、より高くスケーリングされ得、パーシャルサブフレームに割り振られたリソースの第２の量が時間リソースのより多い量を含むとき、周波数リソースの量は、より低くスケーリングされ得る。
【００２０】
[0020]一例では、ＵＥにおけるワイヤレス通信のための別の装置について説明する。本装置は、共有無線周波数スペクトル帯域上でパーシャルサブフレームの制御チャネルを受信するための手段、ここで、制御チャネルに割り振られたリソースの第１の量が、パーシャルサブフレームに割り振られたリソースの第２の量に少なくとも部分的に基づく、を含み得る。
【００２１】
[0021]一例では、ＵＥにおけるワイヤレス通信のための別の装置について説明する。本装置は、プロセッサと、プロセッサと電子通信しているメモリと、メモリに記憶された命令とを含み得る。命令は、共有無線周波数スペクトル帯域上でパーシャルサブフレームの制御チャネルを受信すること、ここで、制御チャネルに割り振られたリソースの第１の量が、パーシャルサブフレームに割り振られたリソースの第２の量に少なくとも部分的に基づく、を行うためにプロセッサによって実行可能であり得る。
【００２２】
[0022]一例では、ワイヤレス通信のためのコンピュータ実行可能コードを記憶する別の非一時的コンピュータ可読媒体について説明する。一例では、コードは、共有無線周波数スペクトル帯域上でパーシャルサブフレームの制御チャネルを受信すること、ここで、制御チャネルに割り振られたリソースの第１の量が、パーシャルサブフレームに割り振られたリソースの第２の量に少なくとも部分的に基づく、を行うためにプロセッサによって実行可能であり得る。
【００２３】
[0023]一例では、ＵＥにおけるワイヤレス通信のための別の方法について説明する。本方法は、共有無線周波数スペクトル帯域上で送信されるパーシャルサブフレームのための同一キャリアスケジューリングを受信することと、共有無線周波数スペクトル帯域上で受信されるフルサブフレームのための同一キャリアスケジューリングまたはクロスキャリアスケジューリングのうちの１つを受信することとを含み得る。
【００２４】
[0024]本方法のいくつかの例では、フルサブフレームのためのクロスキャリアスケジューリングは、専用無線周波数スペクトル帯域中の１次コンポーネントキャリア（ＰＣＣ：primary component carrier）上で受信され得る。いくつかの例では、パーシャルサブフレームのための同一キャリアスケジューリングはＥＰＤＣＣＨ上で受信され得る。
【００２５】
[0025]一例では、ＵＥにおけるワイヤレス通信のための別の装置について説明する。本装置は、共有無線周波数スペクトル帯域上で送信されるパーシャルサブフレームのための同一キャリアスケジューリングを受信するための手段と、共有無線周波数スペクトル帯域上で受信されるフルサブフレームのための同一キャリアスケジューリングまたはクロスキャリアスケジューリングのうちの１つを受信するための手段と、を含み得る。
【００２６】
[0026]一例では、ＵＥにおけるワイヤレス通信のための別の装置について説明する。本装置は、プロセッサと、プロセッサと電子通信しているメモリと、メモリに記憶された命令とを含み得る。命令は、共有無線周波数スペクトル帯域上で送信されるパーシャルサブフレームのための同一キャリアスケジューリングを受信することと、共有無線周波数スペクトル帯域上で受信されるフルサブフレームのための同一キャリアスケジューリングまたはクロスキャリアスケジューリングのうちの１つを受信することと、を行うためにプロセッサによって実行可能であり得る。
【００２７】
[0027]一例では、ワイヤレス通信のためのコンピュータ実行可能コードを記憶する別の非一時的コンピュータ可読媒体について説明する。一例では、コードは、共有無線周波数スペクトル帯域上で送信されるパーシャルサブフレームのための同一キャリアスケジューリングを受信することと、共有無線周波数スペクトル帯域上で受信されるフルサブフレームのための同一キャリアスケジューリングまたはクロスキャリアスケジューリングのうちの１つを受信することと、を行うためにプロセッサによって実行可能であり得る。
【００２８】
[0028]一例では、ＵＥにおけるワイヤレス通信のための別の方法について説明する。本方法は、共有無線周波数スペクトル帯域上で送信される少なくとも１つのチャネル予約信号のための複数のシンボル期間を監視すること、ここで、少なくとも１つのチャネル予約信号が複数のシンボル期間のうちの各シンボル期間に少なくとも部分的に基づいて符号化される、と、共有無線周波数スペクトル帯域上でダウンリンク送信を受信することと、を含み得る。ダウンリンク送信は少なくとも１つのチャネル予約信号に続く。
【００２９】
[0029]本方法のいくつかの例では、少なくとも１つのチャネル予約信号は、複数のシンボル期間のうちの異なる隣接シンボル期間中で送信される複数のチャネル予約信号を含み得、ここで、複数のシンボル期間のうちの第１のシンボル期間中で受信される第１のチャネル予約信号の符号化が、複数のシンボル期間のうちの第２のシンボル期間中で受信される第２のチャネル予約信号の符号化とは異なる。いくつかの例では、少なくとも１つのチャネル予約信号は、チャネル予約信号がその間に送信されるシンボル期間の数に基づいて符号化されたチャネル予約信号を含み得る。いくつかの例では、ダウンリンク送信は、パーシャルサブフレームに関してスケジュールされたデータを含み得る。いくつかの例では、少なくとも１つのチャネル予約信号は、少なくとも１つのダウンリンクチャネル使用ビーコン信号（Ｄ−ＣＵＢＳ：downlink channel usage beacon signal）を含み得る。いくつかの例では、本方法は、少なくとも１つのチャネル予約信号とダウンリンク送信との間で送信されるセル固有基準信号（ＣＲＳ：cell-specific reference signal）を監視すること、ここで、少なくとも１つのチャネル予約信号の各々がＣＲＳとは別様に符号化される、を含み得る。いくつかの例では、異なる符号化は、異なるシーケンススクランブリングを含み得る。
【００３０】
[0030]一例では、ＵＥにおけるワイヤレス通信のための別の装置について説明する。本装置は、共有無線周波数スペクトル帯域上で送信される少なくとも１つのチャネル予約信号のための複数のシンボル期間を監視するための手段、ここで、少なくとも１つのチャネル予約信号が複数のシンボル期間のうちの各シンボル期間に少なくとも部分的に基づいて符号化される、と、共有無線周波数スペクトル帯域上でダウンリンク送信を受信するための手段と、を含み得る。ダウンリンク送信は少なくとも１つのチャネル予約信号に続き得る。
【００３１】
[0031]一例では、ＵＥにおけるワイヤレス通信のための別の装置について説明する。本装置は、プロセッサと、プロセッサと電子通信しているメモリと、メモリに記憶された命令とを含み得る。命令は、共有無線周波数スペクトル帯域上で送信される少なくとも１つのチャネル予約信号のための複数のシンボル期間を監視すること、ここで、少なくとも１つのチャネル予約信号が複数のシンボル期間のうちの各シンボル期間に少なくとも部分的に基づいて符号化される、と、共有無線周波数スペクトル帯域上でダウンリンク送信を受信することと、を行うためにプロセッサによって実行可能であり得る。ダウンリンク送信は少なくとも１つのチャネル予約信号に続き得る。
【００３２】
[0032]一例では、ワイヤレス通信のためのコンピュータ実行可能コードを記憶する別の非一時的コンピュータ可読媒体について説明する。一例では、コードは、共有無線周波数スペクトル帯域上で送信される少なくとも１つのチャネル予約信号のための複数のシンボル期間を監視すること、ここで、少なくとも１つのチャネル予約信号が複数のシンボル期間のうちの各シンボル期間に少なくとも部分的に基づいて符号化される、と、共有無線周波数スペクトル帯域上でダウンリンク送信を受信することと、を行うためにプロセッサによって実行可能であり得る。ダウンリンク送信は少なくとも１つのチャネル予約信号に続き得る。
【００３３】
[0033]一例では、ＵＥにおけるワイヤレス通信のための別の方法について説明する。本方法は、フレーム期間の複数のダウンリンクアップリンク送信構成のサブセットの第１の指示を受信することと、複数のダウンリンクアップリンク送信構成のサブセット中に含まれるダウンリンクアップリンク送信構成の第２の指示を受信することと、示されたダウンリンクアップリンク送信構成に従って共有無線周波数スペクトル帯域上でダウンリンク送信を受信することと、を含み得る。
【００３４】
[0034]本方法のいくつかの例では、複数のダウンリンクアップリンク送信構成のサブセットは少なくとも１つのパーシャルサブフレーム構成を含み得る。いくつかの例では、複数のダウンリンクアップリンク送信構成のサブセットの第１の指示はＲＲＣメッセージ中で受信され得る。いくつかの例では、第２の指示は、複数のダウンリンクバースト、または複数のアップリンクバースト、または複数のダウンリンクバーストおよび少なくとも１つのアップリンクバースト、または複数のアップリンクバーストおよび少なくとも１つのダウンリンクバースト、あるいはそれらの組合せのうちの少なくとも１つを含むダウンリンクアップリンク構成を示し得る。いくつかの例では、本方法は、ダウンリンク送信を受信することより前に共有無線周波数スペクトル帯域が利用可能であると決定することと、ダウンリンク送信の後まで再び共有無線周波数スペクトル帯域が利用可能であると決定することを控えることと、を含み得る。いくつかの例では、ダウンリンク送信のダウンリンクバーストおよびアップリンクバーストの各々は、他のダウンリンクバーストまたは他のアップリンクバーストから送信ギャップだけ分離され得る。いくつかの例では、送信ギャップは、いくつかのクリアチャネルアセスメント（ＣＣＡ：clear channel assessment）オケージョン（たとえば、１つまたは複数のＣＣＡオケージョン）を含み得る。いくつかの例では、第２の指示は、ダウンリンクバーストとアップリンクバーストとを交互に行うシーケンスを含むダウンリンクアップリンク構成を示し得る。
【００３５】
[0035]一例では、ＵＥにおけるワイヤレス通信のための別の装置について説明する。本装置は、フレーム期間の複数のダウンリンクアップリンク送信構成のサブセットの第１の指示を受信するための手段と、複数のダウンリンクアップリンク送信構成のサブセット中に含まれるダウンリンクアップリンク送信構成の第２の指示を受信するための手段と、示されたダウンリンクアップリンク送信構成に従って共有無線周波数スペクトル帯域上でダウンリンク送信を受信するための手段と、を含み得る。
【００３６】
[0036]一例では、ＵＥにおけるワイヤレス通信のための別の装置について説明する。本装置は、プロセッサと、プロセッサと電子通信しているメモリと、メモリに記憶された命令とを含み得る。命令は、フレーム期間の複数のダウンリンクアップリンク送信構成のサブセットの第１の指示を受信することと、複数のダウンリンクアップリンク送信構成のサブセット中に含まれるダウンリンクアップリンク送信構成の第２の指示を受信することと、示されたダウンリンクアップリンク送信構成に従って共有無線周波数スペクトル帯域上でダウンリンク送信を受信することと、を行うためにプロセッサによって実行可能であり得る。
【００３７】
[0037]一例では、ワイヤレス通信のためのコンピュータ実行可能コードを記憶する別の非一時的コンピュータ可読媒体について説明する。一例では、コードは、フレーム期間の複数のダウンリンクアップリンク送信構成のサブセットの第１の指示を受信することと、複数のダウンリンクアップリンク送信構成のサブセット中に含まれるダウンリンクアップリンク送信構成の第２の指示を受信することと、示されたダウンリンクアップリンク送信構成に従って共有無線周波数スペクトル帯域上でダウンリンク送信を受信することと、を行うためにプロセッサによって実行可能であり得る。
【００３８】
[0038]一例では、ＵＥにおけるワイヤレス通信のための別の方法について説明する。本方法は、ＰＣＣ上で、２次コンポーネントキャリア（ＳＣＣ）上のランダムアクセスチャネル（ＲＡＣＨ）リソースについての要求を送信することと、ＳＣＣ上のＲＡＣＨリソースについての要求を送信したことに応答して、ＳＣＣ上でＲＡＣＨオケージョンの指示とＲＡＣＨリソースの指示とを受信することと、を含み得る。
【００３９】
[0039]本方法のいくつかの例では、ＰＣＣは、専用無線周波数スペクトル帯域または共有無線周波数スペクトル帯域のうちの１つ中にあり得、ＳＣＣは、共有無線周波数スペクトル帯域中にあり得る。いくつかの例では、ＳＣＣ上のＲＡＣＨリソースについての要求は、物理（ＰＨＹ：physical）信号中で、スケジューリング要求（ＳＲ：scheduling request）中で、媒体アクセス制御（ＭＡＣ：medium access control）制御要素中で、またはアップリンク制御情報（ＵＣＩ：uplink control information）と多重化されてのうちの少なくとも１つで送信され得る。
【００４０】
[0040]一例では、ＵＥにおけるワイヤレス通信のための別の装置について説明する。本装置は、ＰＣＣ上で、ＳＣＣ上のＲＡＣＨリソースについての要求を送信するための手段と、ＳＣＣ上のＲＡＣＨリソースについての要求を送信したことに応答して、ＳＣＣ上でＲＡＣＨオケージョンの指示とＲＡＣＨリソースの指示とを受信するための手段と、を含み得る。
【００４１】
[0041]一例では、ＵＥにおけるワイヤレス通信のための別の装置について説明する。本装置は、プロセッサと、プロセッサと電子通信しているメモリと、メモリに記憶された命令とを含み得る。命令は、ＰＣＣ上で、ＳＣＣ上のＲＡＣＨリソースについての要求を送信することと、ＳＣＣ上のＲＡＣＨリソースについての要求を送信したことに応答して、ＳＣＣ上でＲＡＣＨオケージョンの指示とＲＡＣＨリソースの指示とを受信することと、を行うためにプロセッサによって実行可能であり得る。
【００４２】
[0042]一例では、ワイヤレス通信のためのコンピュータ実行可能コードを記憶する別の非一時的コンピュータ可読媒体について説明する。一例では、コードは、ＰＣＣ上で、ＳＣＣ上のＲＡＣＨリソースについての要求を送信することと、ＳＣＣ上のＲＡＣＨリソースについての要求を送信したことに応答して、ＳＣＣ上でＲＡＣＨオケージョンの指示とＲＡＣＨリソースの指示とを受信することと、を行うためにプロセッサによって実行可能であり得る。
【００４３】
[0043]一例では、ＵＥにおけるワイヤレス通信のための別の方法について説明する。本方法は、共有無線周波数スペクトル帯域上で基地局からチャネル予約信号を受信することと、チャネル予約信号を受信すると、共有無線周波数スペクトル帯域へのアクセスを求めて競合することなしに、共有無線周波数スペクトル帯域上で、基地局へのアップリンク送信を開始することと、を含み得る。
【００４４】
[0044]本方法のいくつかの例では、アップリンク送信は別のアップリンク送信によって先行され得る。いくつかの例では、チャネル予約信号はＤ−ＣＵＢＳを含み得る。いくつかの例では、本方法は、チャネル予約信号中で、アップリンク専用モードの開始を識別する物理フレームフォーマットインジケータチャネル（ＰＦＦＩＣＨ：physical frame format indicator channel）を受信することをさらに含み得る。
【００４５】
[0045]一例では、ＵＥにおけるワイヤレス通信のための別の装置について説明する。本装置は、共有無線周波数スペクトル帯域上で基地局からチャネル予約信号を受信するための手段と、チャネル予約信号を受信すると、共有無線周波数スペクトル帯域へのアクセスを求めて競合することなしに、共有無線周波数スペクトル帯域上で、基地局へのアップリンク送信を開始するための手段と、を含み得る。
【００４６】
[0046]一例では、ＵＥにおけるワイヤレス通信のための別の装置について説明する。本装置は、プロセッサと、プロセッサと電子通信しているメモリと、メモリに記憶された命令とを含み得る。命令は、共有無線周波数スペクトル帯域上で基地局からチャネル予約信号を受信することと、チャネル予約信号を受信すると、共有無線周波数スペクトル帯域へのアクセスを求めて競合することなしに、共有無線周波数スペクトル帯域上で、基地局へのアップリンク送信を開始することと、を行うためにプロセッサによって実行可能であり得る。
【００４７】
[0047]一例では、ワイヤレス通信のためのコンピュータ実行可能コードを記憶する別の非一時的コンピュータ可読媒体について説明する。一例では、コードは、共有無線周波数スペクトル帯域上で基地局からチャネル予約信号を受信することと、チャネル予約信号を受信すると、共有無線周波数スペクトル帯域へのアクセスを求めて競合することなしに、共有無線周波数スペクトル帯域上で、基地局へのアップリンク送信を開始することと、を行うためにプロセッサによって実行可能であり得る。
【００４８】
[0048]一例では、ＵＥにおけるワイヤレス通信のための別の方法について説明する。本方法は、基地局から、第１のサービングセルと第２のサービングセルとがコロケートされるかどうかの指示を受信することと、第１のサービングセルと第２のサービングセルとがコロケートされるという指示を受信することに少なくとも部分的に基づいて第２のサービングセルの情報を決定するために第１のサービングセルの情報を使用することと、を含み得る。
【００４９】
[0049]本方法のいくつかの例では、第１のサービングセルの情報は、第１の時間追跡、第１の周波数追跡、第１のドップラー追跡、または第１の経路損失測定値のうちの少なくとも１つを含み得、第２のサービングセルの情報は、第２の時間追跡、第２の周波数追跡、第２のドップラー追跡、または第２の経路損失測定値のうちの少なくとも１つを含み得る。
【００５０】
[0050]一例では、ＵＥにおけるワイヤレス通信のための別の装置について説明する。本装置は、基地局から、第１のサービングセルと第２のサービングセルとがコロケートされるかどうかの指示を受信するための手段と、第１のサービングセルと第２のサービングセルとがコロケートされるという指示を受信することに少なくとも部分的に基づいて第２のサービングセルの情報を決定するために第１のサービングセルの情報を使用するための手段と、を含み得る。
【００５１】
[0051]一例では、ＵＥにおけるワイヤレス通信のための別の装置について説明する。本装置は、プロセッサと、プロセッサと電子通信しているメモリと、メモリに記憶された命令とを含み得る。命令は、基地局から、第１のサービングセルと第２のサービングセルとがコロケートされるかどうかの指示を受信することと、第１のサービングセルと第２のサービングセルとがコロケートされるという指示を受信することに少なくとも部分的に基づいて第２のサービングセルの情報を決定するために第１のサービングセルの情報を使用することと、を行うためにプロセッサによって実行可能であり得る。
【００５２】
[0052]一例では、ワイヤレス通信のためのコンピュータ実行可能コードを記憶する別の非一時的コンピュータ可読媒体について説明する。一例では、コードは、基地局から、第１のサービングセルと第２のサービングセルとがコロケートされるかどうかの指示を受信することと、第１のサービングセルと第２のサービングセルとがコロケートされるという指示を受信することに少なくとも部分的に基づいて第２のサービングセルの情報を決定するために第１のサービングセルの情報を使用することと、を行うためにプロセッサによって実行可能であり得る。
【００５３】
[0053]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００５４】
[0054]本発明の性質および利点のさらなる理解は、以下の図面を参照して実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。本明細書において第１の参照ラベルが使用される場合、説明は、第２の参照ラベルにかかわらず、同じ第１の参照ラベルを有する同様の構成要素のうちのいずれにも適用可能である。
【図面の簡単な説明】
【００５５】
【図１】[0055]本開示の様々な態様による、ワイヤレス通信システムの一例を示す図。
【図２】[0056]本開示の様々な態様による、ＬＴＥ／ＬＴＥ−Ａが、共有無線周波数スペクトル帯域を使用して異なるシナリオの下で展開され得るワイヤレス通信システムを示す図。
【図３】[0057]本開示の様々な態様による、共有無線周波数スペクトル帯域上でのワイヤレス通信の一例を示す図。
【図４Ａ】[0058]本開示の様々な態様による、ＬＴＥ／ＬＴＥ−Ａがキャリアアグリゲーションシナリオにおいて展開され得るワイヤレス通信システムを示す図。
【図４Ｂ】[0059]本開示の様々な態様による、ＬＴＥ／ＬＴＥ−Ａがデュアル接続性シナリオ（たとえば、多地点協調（ＣｏＭＰ：coordinated multipoint）シナリオ）において展開され得るワイヤレス通信システムを示す図。
【図５】[0060]本開示の様々な態様による、ワイヤレス通信において使用するための装置のブロック図。
【図６】[0061]本開示の様々な態様による、ワイヤレス通信において使用するための装置のブロック図。
【図７】[0062]本開示の様々な態様による、ワイヤレス通信において使用するための装置のブロック図。
【図８】[0063]本開示の様々な態様による、ワイヤレス通信において使用するためのＵＥのブロック図。
【図９】[0064]本開示の様々な態様による、ワイヤレス通信において使用するための基地局（たとえば、ｅＮＢの一部または全部を形成する基地局）のブロック図。
【図１０】[0065]本開示の様々な態様による、ワイヤレス通信のための例示的な方法を示すフローチャート。
【図１１】[0066]本開示の様々な態様による、ワイヤレス通信のための例示的な方法を示すフローチャート。
【図１２】[0067]本開示の様々な態様による、ワイヤレス通信のための例示的な方法を示すフローチャート。
【図１３】[0068]本開示の様々な態様による、ワイヤレス通信のための例示的な方法を示すフローチャート。
【図１４】[0069]本開示の様々な態様による、ワイヤレス通信のための例示的な方法を示すフローチャート。
【図１５】[0070]本開示の様々な態様による、ワイヤレス通信のための例示的な方法を示すフローチャート。
【図１６】[0071]本開示の様々な態様による、ワイヤレス通信のための例示的な方法を示すフローチャート。
【図１７】[0072]本開示の様々な態様による、ワイヤレス通信のための例示的な方法を示すフローチャート。
【図１８】[0073]本開示の様々な態様による、ワイヤレス通信のための例示的な方法を示すフローチャート。
【発明を実施するための形態】
【００５６】
[0074]共有無線周波数スペクトル帯域がワイヤレス通信システム上での通信の少なくとも一部分のために使用される技法について説明する。いくつかの例では、共有無線周波数スペクトル帯域はＬＴＥ／ＬＴＥ−Ａ通信のために使用され得る。共有無線周波数スペクトル帯域は、専用無線周波数スペクトル帯域と組み合わせて、またはそれとは無関係に使用され得る。専用無線周波数スペクトル帯域は、無線周波数スペクトル帯域が一部のユーザに認可されているので、送信装置がそれのためにアクセスを求めて競合しないことがある無線周波数スペクトル帯域（たとえば、ＬＴＥ／ＬＴＥ−Ａ通信のために使用可能な認可無線周波数スペクトル帯域）であり得る。共有無線周波数スペクトル帯域は、デバイスがそれのためにアクセスを求めて競合する必要があり得る、無線周波数スペクトル帯域（たとえば、Ｗｉ−Ｆｉ（登録商標）使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００５７】
[0075]専用無線周波数スペクトル帯域を使用するセルラーネットワークにおけるデータトラフィックの増加とともに、少なくとも一部のデータトラフィックの、共有無線周波数スペクトル帯域へのオフローディングは、セルラー事業者（たとえば、パブリックランドモバイルネットワーク（ＰＬＭＮ）またはＬＴＥ／ＬＴＥ−Ａネットワークなどのセルラーネットワークを画定する基地局の協調セットの事業者）に拡張データ送信容量のための機会を与え得る。共有無線周波数スペクトル帯域の使用はまた、専用無線周波数スペクトル帯域へのアクセスが利用不可能であるエリア中でサービスを与え得る。共有無線周波数スペクトル帯域上で通信する前に、送信装置は、共有無線周波数スペクトル帯域へのアクセスを獲得するためにリッスンビフォアトーク（ＬＢＴ：Listen Before Talk）プロシージャを実行し得る。そのようなＬＢＴプロシージャは、共有無線周波数スペクトル帯域のチャネルが利用可能であるかどうかを決定するために、クリアチャネルアセスメント（ＣＣＡ）プロシージャ（または拡張ＣＣＡプロシージャ）を実行することを含み得る。共有無線周波数スペクトル帯域のチャネルが利用可能であると決定されたとき、ＣＵＢＳが、チャネルを予約するために送信され得る。チャネルが利用可能でないと決定されたとき、そのチャネルのためのＣＣＡプロシージャ（または拡張ＣＣＡプロシージャ）が、後で再び実行され得る。
【００５８】
[0076]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００５９】
[0077]図１に、本開示の様々な態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００６０】
[0078]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（たとえば、マクロ基地局またはスモールセル基地局）を含み得る。異なる技術のための重複する地理的カバレージエリア１１０があり得る。
【００６１】
[0079]いくつかの例では、ワイヤレス通信システム１００はＬＴＥ／ＬＴＥ−Ａネットワークを含み得る。ＬＴＥ／ＬＴＥ−Ａネットワークでは、発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【００６２】
[0080]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００６３】
[0081]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００６４】
[0082]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実行し得る。媒体アクセス制御（ＭＡＣ：Medium Access Control）レイヤが、優先度ハンドリングと、トランスポートチャネルへの論理チャネルの多重化とを実行し得る。ＭＡＣレイヤはまた、リンク効率を改善するためにＭＡＣレイヤにおいて再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００６５】
[0083]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００６６】
[0084]ワイヤレス通信システム１００に示されている通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれ得、アップリンク送信は逆方向リンク送信と呼ばれ得る。
【００６７】
[0085]いくつかの例では、各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数領域複信（ＦＤＤ）動作を使用して（たとえば、対スペクトルリソースを使用して）、または時間領域複信（ＴＤＤ）動作を使用して（たとえば、不対スペクトルリソースを使用して）双方向通信を送信し得る。ＦＤＤ動作のためのフレーム構造（たとえば、フレーム構造タイプ１）とＴＤＤ動作のためのフレーム構造（たとえば、フレーム構造タイプ２）とが定義され得る。
【００６８】
[0086]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００６９】
[0087]ワイヤレス通信システム１００は、複数のセルまたはキャリア上での動作、すなわち、キャリアアグリゲーション（ＣＡ）またはデュアル接続性動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用され得る。ＬＴＥ／ＬＴＥ−Ａネットワークでは、ＵＥ１１５は、キャリアアグリゲーションモードまたはデュアル接続性モードで動作しているとき、最高５つのコンポーネントキャリア（ＣＣ）を使用して通信するように構成され得る。ＣＣのうちの１つまたは複数はＤＬ  ＣＣとして構成され得、ＣＣのうちの１つまたは複数はＵＬ  ＣＣとして構成され得る。また、ＵＥ１１５に割り振られたＣＣのうちの１つは、１次ＣＣ（ＰＣＣ）として構成され、１次サービングセル（ＰＣｅｌｌ）と通信するために使用され得るが、ＵＥ１１５に割り振られた残りのＣＣは、２次ＣＣ（ＳＣＣ）として構成され、１つまたは複数の２次サービングセル（ＳＣｅｌｌ）と通信するために使用され得る。キャリアアグリゲーションまたはデュアル接続性は、ＦＤＤコンポーネントキャリアとＴＤＤコンポーネントキャリアの両方とともに使用され得る。
【００７０】
[0088]いくつかの例では、ワイヤレス通信システム１００は、専用無線周波数スペクトル帯域（たとえば、無線周波数スペクトル帯域が、何らかの使用のために一部のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））、または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上での動作をサポートし得る。共有無線周波数スペクトル帯域へのアクセスを求める競合に勝つと、送信装置（たとえば、基地局１０５またはＵＥ１１５）は、共有無線周波数スペクトル帯域上で１つまたは複数のＣＵＢＳを送信し得る。ＣＵＢＳは、共有無線周波数スペクトル帯域上で検出可能なエネルギーを与えることによって、共有無線周波数スペクトルを予約し得る。ＣＵＢＳはまた、送信装置を識別するように働くか、または送信装置と受信装置とを同期させるように働き得る。
【００７１】
[0089]図２に、本開示の様々な態様による、ＬＴＥ／ＬＴＥ−Ａが、共有無線周波数スペクトル帯域を使用して異なるシナリオの下で展開され得るワイヤレス通信システム２００を示す。より詳細には、図２は、ＬＴＥ／ＬＴＥ−Ａが共有無線周波数スペクトル帯域を使用して展開される、（認可支援アクセスモードとも呼ばれる）補足ダウンリンクモードと、キャリアアグリゲーションモードと、スタンドアロンモードとの例を示している。ワイヤレス通信システム２００は、図１を参照しながら説明したワイヤレス通信システム１００の部分の一例であり得る。その上、第１の基地局２０５および第２の基地局２０５−ａは、図１を参照しながら説明した基地局１０５のうちの１つまたは複数の態様の例であり得、第１のＵＥ２１５、第２のＵＥ２１５−ａ、第３のＵＥ２１５−ｂ、および第４のＵＥ２１５−ｃは、図１を参照しながら説明したＵＥ１１５のうちの１つまたは複数の態様の例であり得る。
【００７２】
[0090]ワイヤレス通信システム２００における補足ダウンリンクモード（たとえば、認可支援アクセスモード）の例では、第１の基地局２０５は、ダウンリンクチャネル２２０を使用して第１のＵＥ２１５にＯＦＤＭＡ波形を送信し得る。ダウンリンクチャネル２２０は、共有無線周波数スペクトル帯域における周波数Ｆ１に関連し得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、専用無線周波数スペクトル帯域における周波数Ｆ４に関連し得る。共有無線周波数スペクトル帯域におけるダウンリンクチャネル２２０と専用無線周波数スペクトル帯域における第１の双方向リンク２２５とは同時に動作し得る。ダウンリンクチャネル２２０は第１の基地局２０５にダウンリンク容量オフロードを与え得る。いくつかの例では、ダウンリンクチャネル２２０は、（たとえば、１つのＵＥに宛てられた）ユニキャストサービスのために、または（たとえば、いくつかのＵＥに宛てられた）マルチキャストサービスのために使用され得る。このシナリオは、専用無線周波数スペクトルを使用し、トラフィックまたはシグナリング輻輳の一部を軽減する必要がある、任意のサービスプロバイダ（たとえば、モバイルネットワーク事業者（ＭＮＯ））に関して発生し得る。
【００７３】
[0091]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、またはリソースブロックインターリーブＦＤＭＡ波形を受信し得る。第２の双方向リンク２３０は、共有無線周波数スペクトル帯域における周波数Ｆ１に関連し得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、専用無線周波数スペクトル帯域における周波数Ｆ２に関連し得る。第２の双方向リンク２３０は、第１の基地局２０５にダウンリンクおよびアップリンク容量オフロードを与え得る。上記で説明した補足ダウンリンクモード（たとえば、認可支援アクセスモード）のように、このシナリオは、専用無線周波数スペクトルを使用し、トラフィックまたはシグナリング輻輳の一部を軽減する必要がある、任意のサービスプロバイダ（たとえば、ＭＮＯ）に関して発生し得る。
【００７４】
[0092]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、またはリソースブロックインターリーブ波形を受信し得る。第４の双方向リンク２４０は、共有無線周波数スペクトル帯域における周波数Ｆ３に関連し得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、専用無線周波数スペクトル帯域における周波数Ｆ２に関連し得る。第４の双方向リンク２４０は、ダウンリンクおよびアップリンク容量オフロードを第１の基地局２０５に与え得る。この例および上記で与えた例は説明の目的で提示され、容量オフロードのために、専用無線周波数スペクトル帯域におけるＬＴＥ／ＬＴＥ−Ａを組み合わせ、共有無線周波数スペクトル帯域を使用する他の同様の動作モードまたは展開シナリオがあり得る。
【００７５】
[0093]上記で説明したように、共有無線周波数スペクトル帯域におけるＬＴＥ／ＬＴＥ−Ａを使用することによって提供される容量オフロードから恩恵を受け得る１つのタイプのサービスプロバイダは、専用無線周波数スペクトル帯域ＬＴＥ／ＬＴＥ−Ａへのアクセス権利を有する旧来のＭＮＯである。これらのサービスプロバイダの場合、動作例は、専用無線周波数スペクトル帯域上のＬＴＥ／ＬＴＥ−Ａ１次コンポーネントキャリア（ＰＣＣ）と共有無線周波数スペクトル帯域上の少なくとも１つの２次コンポーネントキャリア（ＳＣＣ）とを使用するブートストラップモード（たとえば、補足ダウンリンク、キャリアアグリゲーション）を含み得る。
【００７６】
[0094]キャリアアグリゲーションモードでは、データおよび制御は、たとえば、専用無線周波数スペクトル帯域において（たとえば、第１の双方向リンク２２５、第３の双方向リンク２３５、および第５の双方向リンク２４５を介して）通信され得るが、データは、たとえば、共有無線周波数スペクトル帯域において（たとえば、第２の双方向リンク２３０および第４の双方向リンク２４０を介して）通信され得る。共有無線周波数スペクトル帯域を使用するときにサポートされるキャリアアグリゲーション機構は、ハイブリッド周波数分割複信−時分割複信（ＦＤＤ−ＴＤＤ）キャリアアグリゲーションまたはコンポーネントキャリアにわたる異なる対称性を伴うＴＤＤ−ＴＤＤキャリアアグリゲーションに入り得る。
【００７７】
[0095]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、またはリソースブロックインターリーブＦＤＭＡ波形を受信し得る。双方向リンク２５０は、共有無線周波数スペクトル帯域における周波数Ｆ３に関連し得る。スタンドアロンモードは、スタジアム内アクセス（たとえば、ユニキャスト、マルチキャスト）など、非旧来型ワイヤレスアクセスシナリオにおいて使用され得る。この動作モードのためのサービスプロバイダのタイプの一例は、専用無線周波数スペクトル帯域へのアクセスを有しない、スタジアム所有者、ケーブル会社、イベント主催者、ホテル、企業、または大企業であり得る。
【００７８】
[0096]いくつかの例では、図１または図２を参照しながら説明した基地局１０５、２０５、または２０５−ａのうちの１つ、あるいは図１または図２を参照しながら説明したＵＥ１１５、２１５、２１５−ａ、２１５−ｂ、または２１５−ｃのうちの１つなどの送信装置は、共有無線周波数スペクトル帯域のチャネルへの（たとえば、共有無線周波数スペクトル帯域の物理チャネルへの）アクセスを獲得するためにゲーティング間隔（gating interval）を使用し得る。いくつかの例では、ゲーティング間隔は周期的であり得る。たとえば、周期的ゲーティング間隔は、ＬＴＥ／ＬＴＥ−Ａ無線間隔の少なくとも１つの境界と同期され得る。ゲーティング間隔は、欧州通信規格協会（ＥＴＳＩ：European Telecommunications Standards Institute）（ＥＮ３０１  ８９３）において指定されているＬＢＴプロトコルに基づくＬＢＴプロトコルなど、競合ベースプロトコルの適用を定義し得る。ＬＢＴプロトコルの適用を定義するゲーティング間隔を使用するとき、ゲーティング間隔は、送信装置が、クリアチャネルアセスメント（ＣＣＡ）プロシージャなどの競合プロシージャ（たとえば、ＬＢＴプロシージャ）をいつ実行する必要があるかを示し得る。ＣＣＡプロシージャの結果は、共有無線周波数スペクトル帯域のチャネルが（ＬＢＴ無線フレームとも呼ばれる）ゲーティング間隔のために利用可能であるのか使用中であるのかを送信装置に示し得る。チャネルが、対応するＬＢＴ無線フレームのために利用可能（たとえば、使用のために「クリア」）であることをＣＣＡプロシージャが示すとき、送信装置は、ＬＢＴ無線フレームの一部または全部中に共有無線周波数スペクトル帯域のチャネルを予約または使用し得る。チャネルが利用可能でないこと（たとえば、チャネルが別の送信装置によって使用中または予約済みであること）をＣＣＡプロシージャが示すとき、送信装置は、ＬＢＴ無線フレーム中にチャネルを使用することを妨げられ得る。
【００７９】
[0097]図３に、本開示の様々な態様による、共有無線周波数スペクトル帯域上でのワイヤレス通信３１０の一例３００を示す。いくつかの例では、ワイヤレス通信３１０は、１つまたは複数のアップリンクコンポーネントキャリアの送信を含み得、（１つまたは複数の）アップリンクコンポーネントキャリアは、たとえば、図２を参照しながら説明した補足ダウンリンクモード（たとえば、認可支援アクセスモード）、キャリアアグリゲーションモード、またはスタンドアロンモード、図４を参照しながら説明したキャリアアグリゲーションモード、および／または図５を参照されながら説明したデュアル接続性モードに従って行われる送信の一部として、送信され得る。
【００８０】
[0098]いくつかの例では、ワイヤレス通信３１０のＬＢＴ無線フレーム３１５は、１０ミリ秒の持続時間を有し、いくつかのダウンリンク（Ｄ）サブフレーム３２０と、いくつかのアップリンク（Ｕ）サブフレーム３２５と、２つのタイプのスペシャルサブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移、いくつかの例では、ＬＢＴ無線フレーム間の遷移を与え得る。
【００８１】
[0099]Ｓ’サブフレーム３３５中に、ダウンリンククリアチャネルアセスメント（ＤＣＣＡ：downlink clear channel assessment）プロシージャ３４５が、ある時間期間の間、それの上でワイヤレス通信３１０が行われる共有無線周波数スペクトル帯域のチャネルを予約するために、図１または図２を参照しながら説明した基地局１０５、２０５、または２０５−ａのうちの１つまたは複数など、１つまたは複数の基地局によって実行され得る。基地局による成功したＤＣＣＡプロシージャ３４５に続いて、基地局は、基地局がチャネルを予約したという指示を他の基地局または装置（たとえば、ＵＥ、Ｗｉ−Ｆｉアクセスポイントなど）に与えるために、チャネル予約信号（たとえば、ダウンリンクチャネル使用ビーコン信号（ＣＵＢＳ：channel usage beacon signal）（Ｄ−ＣＵＢＳ３５０）などのＣＵＢＳ）を送信し得る。いくつかの例では、Ｄ−ＣＵＢＳ３５０は、複数のインターリーブリソースブロックを使用して送信され得る。このようにしてＤ−ＣＵＢＳ３５０を送信することは、Ｄ−ＣＵＢＳ３５０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有するという要件）を満たすことを可能にし得る。Ｄ−ＣＵＢＳ３５０は、いくつかの例では、ＬＴＥ／ＬＴＥ−Ａ共通基準信号（ＣＲＳ：common reference signal）またはチャネル状態情報基準信号（ＣＳＩ−ＲＳ）の形態と同様の形態をとり得る。ＤＣＣＡプロシージャ３４５が失敗したとき、Ｄ−ＣＵＢＳ３５０は送信されないことがある。
【００８２】
[0100]Ｓ’サブフレーム３３５は、複数のＯＦＤＭシンボル期間（たとえば、１４個のＯＦＤＭシンボル期間）を含み得る。Ｓ’サブフレーム３３５の第１の部分は、短縮されたアップリンク（Ｕ）期間として、いくつかのＵＥによって使用され得る。Ｓ’サブフレーム３３５の第２の部分は、ＤＣＣＡプロシージャ３４５のために使用され得る。Ｓ’サブフレーム３３５の第３の部分は、Ｄ−ＣＵＢＳ３５０を送信するために、共有無線周波数スペクトル帯域のチャネルへのアクセスを求める競合に成功した１つまたは複数の基地局によって使用され得る。
【００８３】
[0101]Ｓサブフレーム３３０中に、アップリンクＣＣＡ（ＵＣＣＡ）プロシージャ３６５が、ある時間期間の間、それの上でワイヤレス通信３１０が行われるチャネルを予約するために、図１または図２を参照しながら上記で説明したＵＥ１１５、２１５、２１５−ａ、２１５−ｂ、または２１５−ｃのうちの１つまたは複数など、１つまたは複数のＵＥによって実行され得る。ＵＥによる成功したＵＣＣＡプロシージャ３６５に続いて、ＵＥは、ＵＥがチャネルを予約したという指示を他のＵＥまたは装置（たとえば、基地局、Ｗｉ−Ｆｉアクセスポイントなど）に与えるために、チャネル予約信号（たとえば、アップリンクＣＵＢＳ（Ｕ−ＣＵＢＳ３７０）などのＣＵＢＳ）を送信し得る。いくつかの例では、Ｕ−ＣＵＢＳ３７０は、複数のインターリーブリソースブロックを使用して送信され得る。このようにしてＵ−ＣＵＢＳ３７０を送信することは、Ｕ−ＣＵＢＳ３７０が、共有無線周波数スペクトル帯域の利用可能な周波数帯域幅の少なくともある割合を占有し、１つまたは複数の規制上の要件（たとえば、共有無線周波数スペクトル帯域上の送信が利用可能な周波数帯域幅の少なくとも８０％を占有する要件）を満たすことを可能にし得る。Ｕ−ＣＵＢＳ３７０は、いくつかの例では、ＬＴＥ／ＬＴＥ−Ａ  ＣＲＳまたはＣＳＩ−ＲＳの形態と同様の形態をとり得る。ＵＣＣＡプロシージャ３６５が失敗したとき、Ｕ−ＣＵＢＳ３７０は送信されないことがある。
【００８４】
[0102]Ｓサブフレーム３３０は、複数のＯＦＤＭシンボル期間（たとえば、１４個のＯＦＤＭシンボル期間）を含み得る。Ｓサブフレーム３３０の第１の部分は、短縮されたダウンリンク（Ｄ）期間３５５として、いくつかの基地局によって使用され得る。Ｓサブフレーム３３０の第２の部分は、ガード期間（ＧＰ）３６０として使用され得る。Ｓサブフレーム３３０の第３の部分は、ＵＣＣＡプロシージャ３６５のために使用され得る。Ｓサブフレーム３３０の第４の部分は、アップリンクパイロットタイムスロット（ＵｐＰＴＳ：uplink pilot time slot）としてまたはＵ−ＣＵＢＳ３７０を送信するために、共有無線周波数スペクトル帯域のチャネルへのアクセスを求める競合に成功した１つまたは複数のＵＥによって使用され得る。
【００８５】
[0103]いくつかの例では、ＤＣＣＡプロシージャ３４５またはＵＣＣＡプロシージャ３６５は、単一のＣＣＡプロシージャの実行を含み得る。他の例では、ＤＣＣＡプロシージャ３４５またはＵＣＣＡプロシージャ３６５は、拡張ＣＣＡプロシージャの実行を含み得る。拡張ＣＣＡプロシージャは、ランダムな数のＣＣＡプロシージャを含み得、いくつかの例では、複数のＣＣＡプロシージャを含み得る。
【００８６】
[0104]図４Ａに、本開示の様々な態様による、ＬＴＥ／ＬＴＥ−Ａがキャリアアグリゲーションシナリオにおいて展開され得るワイヤレス通信システム４００を示す。ワイヤレス通信システム４００は、図１または図２を参照しながら説明したワイヤレス通信システム１００または２００の部分の一例であり得る。その上、基地局４０５は、図１または図２を参照しながら説明した基地局１０５、２０４、または２０５−ａのうちの１つまたは複数の態様の一例であり得、ＵＥ４１５は、図１または図２を参照しながら説明したＵＥ１１５、２１５、２１５−ａ、２１５−ｂ、または２１５−ｃのうちの１つまたは複数の態様の一例であり得る。
【００８７】
[0105]ＬＴＥ／ＬＴＥ−Ａ通信を使用してキャリアアグリゲーションモードで通信するとき、ＵＥ４１５は、最高５つのコンポーネントキャリア（ＣＣ）を使用して基地局４０５と通信し得る。ＣＣのうちの１つは１次ＣＣに指定され得、残りのＣＣは２次ＣＣに指定され得る。各ＣＣは、ＤＬ  ＣＣ、ＵＬ  ＣＣ、またはセル（たとえば、ＤＬ  ＣＣおよび／またはＵＬ  ＣＣとして使用するために構成され得るＣＣ）として構成され得る。例として、図４Ａは、第１のＣＣ４２０と、第２のＣＣ４２５と、第３のＣＣ４３０と、第４のＣＣ４３５と、第５のＣＣ４４０とを含む５つのＣＣ上でのＵＥ４１５と基地局４０５との間の通信を示している。第１のＣＣ４２０、第２のＣＣ４２５、第３のＣＣ４３０、第４のＣＣ４３５、および第５のＣＣ４４０の各々は、ＣＣがどのように割り振られるか、または構成されるかに応じて、専用無線周波数スペクトル帯域または共有無線周波数スペクトル帯域において動作し得る。
【００８８】
[0106]ＵＥ４１５が、図２を参照しながら説明したように、共有無線周波数スペクトル帯域を使用する補足ダウンリンク動作モード（たとえば、認可支援アクセスモード）での動作のために構成されたとき、およびＵＥ４１５がキャリアアグリゲーションモードで動作しているとき、第１のＣＣ４２０、第２のＣＣ４２５、第３のＣＣ４３０、第４のＣＣ４３５、または第５のＣＣ４４０のうちの１つまたは複数は、専用無線周波数スペクトル帯域におけるＵＬ  ＣＣまたはＤＬ  ＣＣとして動作し得、第１のＣＣ４２０、第２のＣＣ４２５、第３のＣＣ４３０、第４のＣＣ４３５、または第５のＣＣ４４０のうちの１つまたは複数は、共有無線周波数スペクトル帯域におけるＤＬ  ＣＣとして動作し得る。
【００８９】
[0107]ＵＥ４１５が、図２を参照しながら説明したように、共有無線周波数スペクトル帯域を使用するキャリアアグリゲーション動作モードでの動作のために構成されたとき、第１のＣＣ４２０、第２のＣＣ４２５、第３のＣＣ４３０、第４のＣＣ４３５、または第５のＣＣ４４０のうちの１つまたは複数は、専用無線周波数スペクトル帯域におけるＵＬ  ＣＣまたはＤＬ  ＣＣとして動作し得、第１のＣＣ４２０、第２のＣＣ４２５、第３のＣＣ４３０、第４のＣＣ４３５、または第５のＣＣ４４０のうちの１つまたは複数は、共有無線周波数スペクトル帯域におけるＤＬ  ＣＣまたはＵＬ  ＣＣとして動作し得る。いくつかの例では、ＤＬ  ＣＣのすべてが専用無線周波数スペクトル帯域において動作し得るか、またはＵＬ  ＣＣのすべてが共有無線周波数スペクトル帯域において動作し得るが、ＤＬ  ＣＣのすべておよびＵＬ  ＣＣのすべてが、共有無線周波数スペクトル帯域において動作するとは限らない（たとえば、少なくとも１つのＤＬ  ＣＣまたは少なくとも１つのＵＬ  ＣＣが専用無線周波数スペクトル帯域において動作する）。
【００９０】
[0108]ＵＥ４１５が、図２を参照しながら説明したように、共有無線周波数スペクトル帯域を使用するスタンドアロン動作モードでの動作のために構成されたとき、およびＵＥ４１５がキャリアアグリゲーションモードで動作しているとき、第１のＣＣ４２０、第２のＣＣ４２５、第３のＣＣ４３０、第４のＣＣ４３５、および第５のＣＣ４４０の各々は、共有無線周波数スペクトル帯域において動作し得る。
【００９１】
[0109]図４Ｂに、本開示の様々な態様による、ＬＴＥ／ＬＴＥ−Ａがデュアル接続性シナリオ（たとえば、多地点協調（ＣｏＭＰ）シナリオ）において展開され得るワイヤレス通信システム４５０を示す。ワイヤレス通信システム４５０は、図１または図２を参照しながら説明したワイヤレス通信システム１００または２００の部分の一例であり得る。その上、第１の基地局４０５−ａおよび第２の基地局４０５−ｂは、図１、図２、または図４Ａを参照しながら説明した基地局１０５、２０５、２０５−ａ、または４０５のうちの１つまたは複数の態様の例であり得、ＵＥ４１５−ａは、図１、図２、または図４Ａを参照しながら説明したＵＥ１１５、２１５、２１５−ａ、２１５−ｂ、２１５−ｃ、または４１５のうちの１つまたは複数の態様の一例であり得る。
【００９２】
[0110]ＬＴＥ／ＬＴＥ−Ａ通信を使用してデュアル接続性モードで通信するとき、ＵＥ４１５−ａは、最高５つのＣＣを使用して、第１の基地局４０５−ａおよび第２の基地局４０５−ｂなどの複数の基地局と通信し得る。ＣＣのうちの１つは１次ＣＣに指定され得、残りのＣＣは２次ＣＣに指定され得る。各ＣＣは、ＤＬ  ＣＣ、ＵＬ  ＣＣ、またはセル（たとえば、ＤＬ  ＣＣおよび／またはＵＬ  ＣＣとして使用するために構成され得るＣＣ）として構成され得る。例として、図４Ｂは、第１のＣＣ４５５と、第２のＣＣ４６０と、第３のＣＣ４６５とを含む、３つのＣＣ上でのＵＥ４１５−ａと基地局４０５−ａとの間の通信を示している。いくつかの例では、（第１の基地局４０５−ａと通信している）第１のＣＣ４５５および第２のＣＣ４６０は、デュアル接続性動作におけるＣＣの１次グループ４７０として構成され得、（第２の基地局４０５−ｂと通信している）第３のＣＣ４６５は、デュアル接続性動作におけるＣＣの２次グループ４７５（たとえば、この例では、１つのＣＣのグループ）として構成され得る。第１のＣＣ４５５、第２のＣＣ４６０、および第３のＣＣ４６５は、たとえば、図４Ａを参照しながら説明したように、コンポーネントキャリアがどのようにキャリアアグリゲーション動作モードで使用され得るかと同様に、専用無線周波数スペクトル帯域または共有無線周波数スペクトル帯域を使用する様々な動作モードのために構成され得る。
【００９３】
[0111]基地局とＵＥとが共有無線周波数スペクトル帯域上で通信する、図１、図２、図４Ａ、または図４Ｂを参照しながら説明したワイヤレス通信システム１００、２００、４００、または４５０の例では、サブフレーム境界が過ぎた後、基地局またはＵＥが共有無線周波数スペクトル帯域へのアクセスを求める競合に勝つときがあり得る。これらの例では、基地局またはＵＥは、次のサブフレーム境界までチャネル予約信号（たとえば、ＣＵＢＳ）を送信し得るか、あるいは基地局またはＵＥは、パーシャルサブフレーム（すなわち、先行サブフレーム境界の後に、および共有無線周波数スペクトル帯域へのアクセスを求める競合に勝った後に開始し、次の（または後続）サブフレーム境界の到達において終了するサブフレームの一部）中にデータをスケジュールおよび送信し得る。パーシャルサブフレームの持続時間は、基地局またはＵＥがいつ共有無線周波数スペクトル帯域へのアクセスを求める競合に勝つかに依存し得、たとえば、１つのシンボル期間（たとえば、１つのＯＦＤＭシンボル期間）、または複数のシンボル期間を含み得る。いくつかのパーシャルサブフレーム（たとえば、ハーフスロットパーシャルサブフレーム）は、有用であるには短かすぎる持続時間を有するか、または少なすぎるリソースに関連し得る（たとえば、そのパーシャルサブフレームは送信の制御部分とデータ部分の両方にとって短かすぎることがある）。他のパーシャルサブフレーム（たとえば、１スロットパーシャルサブフレーム）は、送信の制御部分がパーシャルサブフレームのリソースのそのような大きい割合を使用することになるので、送信の制御部分が、パーシャルサブフレームのリソースのうちのあまりに多く（またはすべて）を使用するか、または非効率的であることを別にすれば、有用であり得る。本開示で説明する技法は、たとえば、パーシャルサブフレームの制御部分のサイズを減少させるために、パーシャルサブフレーム送信に先立って半静的パーシャルサブフレーム構成を送信することによって、パーシャルサブフレームの有用性または効率を高め得る。説明する技法はまた、フルサブフレームとは別様にパーシャルサブフレームを符号化または送信することによって、パーシャルサブフレームの有用性または効率を高め得る。またさらに、説明する技法は、パーシャルサブフレーム中で割り振られた（または利用可能な）リソースの量に基づいてパーシャルサブフレームの送信の制御部分に割り振られたリソースの量をスケーリングすることによって、パーシャルサブフレームの有用性または効率を高め得る。説明する技法はまた、フルサブフレームのスケジューリングからパーシャルサブフレームのスケジューリングを分離すること（たとえば、異なるコンポーネントキャリアからパーシャルサブフレームおよび／またはフルサブフレームをスケジュールすること）によって、パーシャルサブフレームの有用性または効率を高め得る。
【００９４】
[0112]また、基地局とＵＥとが共有無線周波数スペクトル帯域上で通信する、図１、図２、図４Ａ、または図４Ｂを参照しながら説明したワイヤレス通信システム１００、２００、４００、または４５０の例では、ＵＥが、チャネル予約信号とＣＲＳとについて複数のシンボル期間を監視し、基地局がいつ共有無線周波数スペクトル帯域へのアクセスを求める競合に勝つかを決定し、基地局がいつ共有無線周波数スペクトル帯域上での送信（たとえば、パーシャルサブフレーム送信）を開始する準備ができているかを決定しなければならないときがあり得る。チャネル予約信号がＣＲＳの循環的に拡張されたバージョン（たとえば、サブフレームの最後のシンボル期間中に送信されるＣＲＳ）であるとき、それは、チャネル予約信号またはＣＲＳがいつ送信されているかに関してあいまいであり得る。本開示で説明する技法は、このあいまいさを除去し、および／またはパーシャルサブフレーム送信がいつ行われようとしているかをシグナリングし得る。
【００９５】
[0113]基地局とＵＥとが共有無線周波数スペクトル帯域上で通信する、図１、図２、図４Ａ、または図４Ｂを参照しながら説明したワイヤレス通信システム１００、２００、４００、または４５０の例では、フレーム期間が多数のダウンリンクアップリンク送信構成のうちの１つに従って構成され得るときもあり得る。したがって、フレーム期間の間ダウンリンクアップリンク送信構成をシグナリングするために多数のビットが必要とされ得る。ダウンリンクアップリンク送信構成をシグナリングするための多数のビットの送信は、非効率的であり得る。適度の長さの時間期間にわたって使用されるダウンリンクアップリンク送信構成は、可能なダウンリンクアップリンク送信構成の比較的小さいサブセットであり得るので、本開示で説明する技法は、基地局が、そこから１つまたは複数のフレーム期間にわたって１つまたは複数のダウンリンクアップリンク送信構成を選択し得る、ダウンリンクアップリンク送信構成のサブセットを基地局が識別することを可能にする。そのような技法は、ダウンリンクアップリンク送信構成をシグナリングすることに関連するオーバーヘッドを低減すことができる。
【００９６】
[0114]またさらに、基地局とＵＥとが共有無線周波数スペクトル帯域上で通信する、図１、図２、図４Ａ、または図４Ｂを参照しながら説明したワイヤレス通信システム１００、２００、４００、または４５０の例では、ＵＥがＳＣＣ上のＲＡＣＨ（またはＰＲＡＣＨ）オケージョンを識別することができないことがあるときがあり得る。たとえば、ＲＡＣＨオケージョンの指示は規格化されないことあるか、またはＵＥは、ＵＥが、ＵＥのＰＣｅｌｌとコロケートされないＳＣｅｌｌとの整合が外れることにより、ダウンリンクアップリンク送信構成を決定することが可能でないことがある。ＲＡＣＨオケージョンの知識がタイミング同期のために必要とされないことがあるので、本開示で説明する技法は、ＵＥがＲＡＣＨオケージョンとＲＡＣＨリソースとを識別することを可能にする。
【００９７】
[0115]本開示で説明する説明する技法はまた、基地局がアップリンク専用モードをシグナリングすることを可能にし得る。アップリンク専用モードでは、基地局は、ＵＥのために共有無線周波数スペクトル帯域へのアクセスを求めて競合し、ＵＥが、基地局からチャネル予約信号を受信すると（たとえば、ＵＥにおいて共有無線周波数スペクトル帯域へのアクセスを求めて競合することなしに）アップリンク送信を開始することを可能にし得る。アップリンク専用モードは、アクセスポイントが許可を送信し、Ｗｉ−Ｆｉ局が、チャネルの利用可能性を検知することなしに送信することを開始する、Ｗｉ−Ｆｉアップリンクマルチユーザ（ＵＬ−ＭＵ）モードと同様であり得る。
【００９８】
[0116] またさらに、基地局とＵＥとが共有無線周波数スペクトル帯域上で通信する、図１、図２、図４Ａ、または図４Ｂを参照しながら説明したワイヤレス通信システム１００、２００、４００、または４５０の例では、ＵＥが、それのサービングセルがコロケートされるのかコロケートされないのかを知ることが有用であろうときがあり得る。したがって、本開示で説明する技法は、サービングセルがコロケートされるかどうかの指示を与える。
【００９９】
[0117]図５に、本開示の様々な態様による、ワイヤレス通信において使用するための装置５１５のブロック図５００を示す。装置５１５は、図１、図２、図４Ａ、または図４Ｂを参照しながら説明したＵＥ１１５、２１５、２１５−ａ、２１５−ｂ、２１５−ｃ、４１５、または４１５−ａのうちの１つまたは複数の態様の一例であり得る。装置５１５はまた、プロセッサであるか、またはプロセッサを含み得る。装置５１５は、受信機構成要素５１０、ワイヤレス通信管理構成要素５２０、または送信機構成要素５３０を含み得る。これらの構成要素の各々は互いと通信していることがある。
【０１００】
[0118]装置５１５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１０１】
[0119]いくつかの例では、受信機構成要素５１０は、専用無線周波数スペクトル帯域（たとえば、無線周波数スペクトル帯域が、何らかの使用のために一部のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））、または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つの無線周波数（ＲＦ）受信機など、少なくとも１つのＲＦ受信機を含み得る。いくつかの例では、専用無線周波数スペクトル帯域または共有無線周波数スペクトル帯域は、たとえば、図１または図２を参照しながら説明したように、ＬＴＥ／ＬＴＥ−Ａ通信のために使用され得る。受信機構成要素５１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機構成要素（たとえば、専用ＲＦスペクトル帯域のためのＬＴＥ／ＬＴＥ−Ａ受信機構成要素５１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素５１４）の形態をとり得る。専用ＲＦスペクトル帯域のためのＬＴＥ／ＬＴＥ−Ａ受信機構成要素５１２または共有ＲＦスペクトル帯域のためのＬＴＥ／ＬＴＥ−Ａ受信機構成要素５１４を含む受信機構成要素５１０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１０２】
[0120]いくつかの例では、送信機構成要素５３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素５３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機構成要素（たとえば、専用ＲＦスペクトル帯域のためのＬＴＥ／ＬＴＥ−Ａ送信機構成要素５３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素５３４）の形態をとり得る。専用ＲＦスペクトル帯域のためのＬＴＥ／ＬＴＥ−Ａ送信機構成要素５３２または共有ＲＦスペクトル帯域のためのＬＴＥ／ＬＴＥ−Ａ送信機構成要素５３４を含む送信機構成要素５３０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１０３】
[0121]いくつかの例では、ワイヤレス通信管理構成要素５２０は、装置５１５のためのワイヤレス通信の１つまたは複数の態様を管理するために使用され得る。いくつかの例では、ワイヤレス通信管理構成要素５２０はパーシャルサブフレーム処理構成要素５３５を含み得る。いくつかの例では、パーシャルサブフレーム処理構成要素５３５は、半静的構成パーシャルサブフレーム処理構成要素（semi-statically configured partial subframe processing component）５４０、代替的符号化パーシャルサブフレーム処理構成要素（alternatively encoded partial subframe processing component）５４５、スケーリング制御チャネル処理構成要素（scaled control channel processing component）５５０、または分離制御チャネル処理構成要素（decoupled control channel processing component）５５５を含み得る。
【０１０４】
[0122]半静的構成パーシャルサブフレーム処理構成要素５４０は、半静的パーシャルサブフレーム構成と、対応するパーシャルサブフレーム識別子（たとえば、パーシャルサブフレームＲＮＴＩ）とを受信するために使用され得る。いくつかの例では、半静的パーシャルサブフレーム構成は（たとえば、基地局からの）ＲＲＣメッセージ中で受信され得る。いくつかの例では、半静的パーシャルサブフレーム構成は、少なくともＲＢ割振りタイプ、またはＲＢ割振り、または送信ランク、またはＭＣＳ、またはＴＢＳテーブル、あるいはそれらの組合せを含み得る。いくつかの例では、半静的パーシャルサブフレーム構成は、ＴＤＭ構成またはＦＤＭ構成のうちの少なくとも１つを含み得る。いくつかの例では、半静的パーシャルサブフレーム構成は、サブフレームの始端において、またはサブフレームの終端において生じるパーシャルサブフレームのためのものであり得る。いくつかの例では、半静的パーシャルサブフレーム構成は（たとえば、パーシャルサブフレーム中の割振りのために利用可能であり得る限られた数のリソースのために）１つまたは少数のＵＥに送信され得る。
【０１０５】
[0123]いくつかの例では、半静的パーシャルサブフレーム構成は、半静的パーシャルサブフレーム構成が適用されるパーシャルサブフレームのタイプを示し得る。いくつかの例では、パーシャルサブフレームのタイプはパーシャルサブフレームの長さに少なくとも部分的に基づき得る。たとえば、半静的パーシャルサブフレーム構成は、それが７つのシンボル期間（たとえば、７つのＯＦＤＭシンボル期間）の持続時間を有するパーシャルサブフレームに適用されることを示し得る。他の半静的パーシャルサブフレーム構成は、他のタイプのパーシャルサブフレーム（たとえば、４つのシンボル期間または１０個のシンボル期間の持続時間を有するパーシャルサブフレーム）について受信され得る。より短い持続時間のパーシャルサブフレームは、復調のために利用可能なＤＭＲＳに対する限定により、より低い送信ランク構成（たとえば、ランク１または２）に関連し得る）。
【０１０６】
[0124]半静的構成パーシャルサブフレーム処理構成要素５４０はまた、半静的パーシャルサブフレーム構成が適用されるパーシャルサブフレームの数、半静的パーシャルサブフレーム構成が適用されるダウンリンクバーストの数、半静的パーシャルサブフレーム構成が適用される持続時間、または代替指示が受信されるまで半静的パーシャルサブフレーム構成が適用されるという指示のうちの少なくとも１つの指示を受信するために使用され得る。いくつかの例では、指示は、半静的パーシャルサブフレーム構成とともに受信され得る。
【０１０７】
[0125]半静的構成パーシャルサブフレーム処理構成要素５４０はまた、パーシャルサブフレームのための許可を受信するために使用され得る。許可はパーシャルサブフレーム識別子を識別し得る。いくつかの例では、許可は専用無線周波数スペクトル帯域上で受信され得る。いくつかの例では、許可は、ＰＣＣ上で（たとえば、専用無線周波数スペクトル帯域において、または共有無線周波数スペクトル帯域において）受信され得る。いくつかの例では、許可は、ＨＡＲＱ  ＩＤ、または再送信インデックス、または新規データインジケータ（ＮＤＩ）、あるいはそれらの組合せを含み得る。少なくとも部分的に半静的パーシャルサブフレーム構成のために、受信される許可は、フルサブフレームのために受信される許可よりも少数のリソースを使用し得る。
【０１０８】
[0126]またさらに、半静的構成パーシャルサブフレーム処理構成要素５４０は、動的パーシャルサブフレーム構成を受信するために使用され得る。いくつかの例では、動的パーシャルサブフレーム構成は許可とともに受信され得る。
【０１０９】
[0127]半静的構成パーシャルサブフレーム処理構成要素５４０はまた、半静的パーシャルサブフレーム構成に少なくとも部分的に基づいて、共有無線周波数スペクトル帯域上でパーシャルサブフレームに関してスケジュールされたデータを受信するために使用され得る。動的パーシャルサブフレーム構成が受信されたとき、パーシャルサブフレームに関してスケジュールされたデータはまた、動的パーシャルサブフレーム構成に少なくとも部分的に基づいて受信され得る。
【０１１０】
[0128]いくつかの例では、半静的構成パーシャルサブフレーム処理構成要素５４０は、半静的パーシャルサブフレーム構成に少なくとも部分的に基づいて、共有無線周波数スペクトル帯域上で複数のパーシャルサブフレームに関してスケジュールされたデータを受信するために使用され得る。たとえば、データは、示された数のパーシャルサブフレーム、示された数のダウンリンクバースト、または示された持続時間の間、あるいは代替指示（たとえば、異なる半静的パーシャルサブフレーム構成）が受信されるまで受信され得る。いくつかの例では、単一の受信される許可が、複数のパーシャルサブフレームまたはそれのサブセットに適用され得る。
【０１１１】
[0129]いくつかの例では、半静的構成パーシャルサブフレーム処理構成要素５４０によるデータは初期データ送信に対応し得、データが復号され得ないとき、またはデータの受信がＮＡＫされたとき、ワイヤレス通信管理構成要素５２０は、少なくとも１つのフルサブフレーム中で、パーシャルサブフレーム中で最初に送信されたデータの再送信を受信し得る（たとえば、いくつかの例では、パーシャルサブフレーム中の送信に関して最初にスケジュールされたデータは、パーシャルサブフレーム中の再送信に関してスケジュールされないことがある）。
【０１１２】
[0130]代替的符号化パーシャルサブフレーム処理構成要素５４５は、共有無線周波数スペクトル帯域上でパーシャルサブフレームに関してスケジュールされた第１のデータを受信するために使用され得る。パーシャルサブフェイムは、フルサブフレームとして符号化されたサブフレームの一部分を含み得る。
【０１１３】
[0131]代替的符号化パーシャルサブフレーム処理構成要素５４５はまた、共有無線周波数スペクトル帯域上でフルサブフレームに関してスケジュールされた第２のデータを受信するために使用され得、ここで、第１のデータと第２のデータとは別様に符号化される。
【０１１４】
[0132]いくつかの例では、第１のデータは、第１のデータがその上で受信されるチャネルのチャネル品質によってサポートされる第２のＭＣＳまたは第２のＴＢＳよりも低い第１のＭＣＳまたは第１のＴＢＳのうちの少なくとも１つを使用して符号化され得る（たとえば、第１のＭＣＳまたは第１のＴＢＳは、第２のＭＣＳまたは第２のＴＢＳよりも控えめに選択され得る）。第１のＭＣＳおよび／または第１のＴＢＳは、第１のデータを復号することが可能であることのＵＥの尤度を高め、それにより、第１のデータが再送信される必要があり得るという尤度を減少させ得る。いくつかの例では、第１のデータは、フルサブフレームのために符号化されたデータの一部分を含み得る。フルサブフレームのためのデータが冗長を含むとき、ＵＥは、第１のデータを受信し、データのほんの一部分を受信したにもかかわらず第１のデータを適切に復号することが可能であり得る。
【０１１５】
[0133]スケーリング制御チャネル処理構成要素５５０は、共有無線周波数スペクトル帯域上でパーシャルサブフレームの制御チャネルを受信するために使用され得る。制御チャネルに割り振られたリソースの第１の量は、パーシャルサブフレームに割り振られたリソースの第２の量に少なくとも部分的に基づき得る。いくつかの例では、制御チャネルはＥＰＤＣＣＨを含み得る。いくつかの例では、リソースの第１の量は、リソースブロックの量など、周波数リソースの量を含み得る。いくつかの例では、パーシャルサブフレームに割り振られたリソースの第２の量が時間リソースのより少ない量を含むとき、周波数リソースの量は、より高くスケーリングされ得、パーシャルサブフレームに割り振られたリソースの第２の量が時間リソースのより多い量を含むとき、周波数リソースの量は、より低くスケーリングされ得る。
【０１１６】
[0134]いくつかの例では、パーシャルサブフレームが１０個のシンボル期間の持続時間を有するとき（たとえば、リソースの第２の量が１０個のシンボル期間を含むとき）、リソースの第１の量は５つのリソースブロックを含み得、パーシャルサブフレームが７つのシンボル期間の持続時間（たとえば、１／２サブフレームまたは１スロットの持続時間）を有するとき、リソースの第１の量は６つまたは８つのリソースブロックを含み得、パーシャルサブフレームが４つのシンボル期間の持続時間を有するとき、リソースの第１の量は１０個のリソースブロックを含み得る。リソースの第２の量が１４個のシンボル期間（たとえば、フルサブフレーム）を含むとき、リソースの第１の量は４つのリソースブロックを含み得る。いくつかの例では、シンボル期間はＯＦＤＭシンボル期間であり得る。
【０１１７】
[0135]分離制御チャネル処理構成要素５５５は、共有無線周波数スペクトル帯域上で送信されるパーシャルサブフレームのための同一キャリアスケジューリングを受信するために使用され得る（たとえば、パーシャルサブフレームは自己スケジュールされ得る）。いくつかの例では、同一キャリアスケジューリングはＥＰＤＣＣＨ上で受信され得る。
【０１１８】
[0136]分離制御チャネル処理構成要素５５５はまた、共有無線周波数スペクトル帯域上で受信されるフルサブフレームのための同一キャリアスケジューリングまたはクロスキャリアスケジューリングのうちの１つを受信するために使用され得る。いくつかの例では、フルサブフレームのための同一キャリアスケジューリングはＥＰＤＣＣＨ上で受信され得る。いくつかの例では、クロスキャリアスケジューリングは専用無線周波数スペクトル帯域中のＰＣＣ上で受信され得る。いくつかの例では、クロスキャリアスケジューリングはＰＤＣＣＨ上で受信され得る。他の例では、クロスキャリアスケジューリングは、共有無線周波数スペクトル帯域または専用無線周波数スペクトル帯域中のＳＣＣ上で受信され得る。これらの例では、クロスキャリアスケジューリングは、（共有無線周波数スペクトル帯域中の）ＥＰＤＣＣＨまたは（専用無線周波数スペクトル帯域中の）ＰＤＣＣＨ上で受信され得る。
【０１１９】
[0137]図６に、本開示の様々な態様による、ワイヤレス通信において使用するための装置６１５のブロック図６００を示す。装置６１５は、図１、図２、図４Ａ、または図４Ｂを参照しながら説明したＵＥ１１５、２１５、２１５−ａ、２１５−ｂ、２１５−ｃ、４１５、または４１５−ａのうちの１つまたは複数の態様、あるいは図５を参照しながら説明した装置５１５の態様の一例であり得る。装置６１５はまた、プロセッサであるか、またはプロセッサを含み得る。装置６１５は、受信機構成要素６１０、ワイヤレス通信管理構成要素６２０、または送信機構成要素６３０を含み得る。これらの構成要素の各々は互いと通信していることがある。
【０１２０】
[0138]装置６１５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ、ＳｏＣ、および／または他のタイプのセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１２１】
[0139]いくつかの例では、受信機構成要素６１０は、専用無線周波数スペクトル帯域（たとえば、無線周波数スペクトル帯域が、何らかの使用のために一部のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））、または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１または図２を参照しながら説明したように、ＬＴＥ／ＬＴＥ−Ａ通信のために使用され得る。受信機構成要素６１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機構成要素（たとえば、専用ＲＦスペクトル帯域のためのＬＴＥ／ＬＴＥ−Ａ受信機構成要素６１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素６１４）の形態をとり得る。専用ＲＦスペクトル帯域のためのＬＴＥ／ＬＴＥ−Ａ受信機構成要素６１２または共有ＲＦスペクトル帯域のためのＬＴＥ／ＬＴＥ−Ａ受信機構成要素６１４を含む受信機構成要素６１０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１２２】
[0140]いくつかの例では、送信機構成要素６３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素６３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機構成要素（たとえば、専用ＲＦスペクトル帯域のためのＬＴＥ／ＬＴＥ−Ａ送信機構成要素６３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素６３４）の形態をとり得る。専用ＲＦスペクトル帯域のためのＬＴＥ／ＬＴＥ−Ａ送信機構成要素６３２または共有ＲＦスペクトル帯域のためのＬＴＥ／ＬＴＥ−Ａ送信機構成要素６３４を含む送信機構成要素６３０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１２３】
[0141]いくつかの例では、ワイヤレス通信管理構成要素６２０は、装置６１５のためのワイヤレス通信の１つまたは複数の態様を管理するために使用され得る。いくつかの例では、ワイヤレス通信管理構成要素６２０は、チャネル予約信号処理構成要素６３５、ダウンリンクアップリンク送信構成処理構成要素６４０、ＲＡＣＨ管理構成要素６４５、基地局トリガアップリンク管理構成要素（base station-triggered uplink management component）６５０、またはサービングセル情報管理構成要素６５５を含み得る。
【０１２４】
[0142]チャネル予約信号処理構成要素６３５は、共有無線周波数スペクトル帯域上で送信される少なくとも１つのチャネル予約信号について複数のシンボル期間（たとえば、サブフレームのＯＦＤＭシンボル期間）を監視するために使用され得る。少なくとも１つのチャネル予約信号は、複数のシンボル期間のうちの各シンボル期間に少なくとも部分的に基づいて符号化され得る。いくつかの例では、少なくとも１つのチャネル予約信号は、少なくとも１つのＤ−ＣＵＢＳを含み得る。
【０１２５】
[0143]いくつかの例では、共有無線周波数スペクトル帯域上で送信される少なくとも１つのチャネル予約信号は、チャネル予約信号がその間に送信されるシンボル期間の数に基づいて符号化されたチャネル予約信号を含み得る。したがって、２つのシンボル期間の間に送信される第１のチャネル予約信号の第１の符号化は、１つのシンボル期間の間に送信される第２のチャネル予約信号の第２の符号化とは異なり得る。チャネル予約信号は、たとえば、基地局が共有無線周波数スペクトル帯域へのアクセスを求める競合に勝ち、チャネル予約信号を送信し始めるシンボル期間に基づいて、複数の異なる持続時間のうちの１つの間に送信され得る。
【０１２６】
[0144]いくつかの例では、共有無線周波数スペクトル帯域上で送信される少なくとも１つのチャネル予約信号は、複数のシンボル期間のうちの異なる隣接シンボル期間中で送信される複数のチャネル予約信号を含み得る。これらの例では、複数のシンボル期間のうちの第１のシンボル期間中で受信される第１のチャネル予約信号の符号化は、複数のシンボル期間のうちの第２のシンボル期間中で受信される第２のチャネル予約信号の符号化とは異なり得る。いくつかの例では、各チャネル予約信号の符号化は異なり得る。他の例では、異なるシンボル期間中で送信されるチャネル予約信号は、異なるシードを用いてスクランブルされ得る。
【０１２７】
[0145]チャネル予約信号処理構成要素６３５はまた、少なくとも１つのチャネル予約信号と後続のダウンリンク送信との間で送信されるＣＲＳを監視するために使用され得る。少なくとも１つのチャネル予約信号の各々は、ＣＲＳとは別様に符号化され得る。いくつかの例では、（１つまたは複数の）異なる符号化は、（１つまたは複数の）異なるシーケンススクランブリングを含み得る。
【０１２８】
[0146]またさらに、チャネル予約信号処理構成要素６３５は、共有無線周波数スペクトル帯域上でダウンリンク送信を受信するために使用され得る。ダウンリンク送信は少なくとも１つのチャネル予約信号に続き得る。いくつかの例では、ダウンリンク送信は、パーシャルサブフレームに関してスケジュールされたデータを含み得る。
【０１２９】
[0147]ダウンリンクアップリンク送信構成処理構成要素６４０は、フレーム期間の複数のダウンリンクアップリンク送信構成のサブセット（すなわち、フレーム期間の可能なダウンリンクアップリンク送信構成のすべてに満たないサブセット）の第１の指示を受信するために使用され得る。いくつかの例では、複数のダウンリンクアップリンク送信構成のサブセットは少なくとも１つのパーシャルサブフレーム構成を含み得る。いくつかの例では、ダウンリンクアップリンク送信構成のサブセットの第１の指示はＲＲＣメッセージ中で受信され得る。
【０１３０】
[0148]ダウンリンクアップリンク送信構成処理構成要素６４０はまた、複数のダウンリンクアップリンク送信構成のサブセット中に含まれるダウンリンクアップリンク送信構成の第２の指示を受信するために使用され得る。いくつかの例では、第２の指示はｅＩＭＴＡ構成と同様であり得る。いくつかの例では、第２の指示は、複数のダウンリンクバースト、または複数のアップリンクバースト、または複数のダウンリンクバーストおよび少なくとも１つのアップリンクバースト、または複数のアップリンクバーストおよび少なくとも１つのダウンリンクバースト、あるいはそれらの組合せのうちの少なくとも１つを備えるダウンリンクアップリンク構成を示し得る（およびしたがって、複数のダウンリンクアップリンク送信構成のサブセットは、そのダウンリンクアップリンク構成を含み得る）。いくつかの例では、第２の指示は、ダウンリンクバーストとアップリンクバーストとを交互に行うシーケンスを含むダウンリンクアップリンク構成を示し得る。いくつかの例では、第２の指示はＰＦＦＩＣＨ上で受信され得る。
【０１３１】
[0149]ダウンリンクアップリンク送信構成処理構成要素６４０はまた、示されたダウンリンクアップリンク送信構成に従って共有無線周波数スペクトル帯域上でダウンリンク送信を受信するために使用され得る。いくつかの例では、ダウンリンク送信のダウンリンクバーストまたはアップリンクバーストのうちの少なくとも１つは、他のダウンリンクバーストまたは他のアップリンクバーストから送信ギャップだけ分離され得る。いくつかの例では、送信ギャップは、いくつかのＣＣＡオケージョン（たとえば、１つまたは複数のＣＣＡオケージョン）を含み得る。
【０１３２】
[0150]いくつかの例では、ダウンリンクアップリンク送信構成処理構成要素６４０は、ダウンリンク送信を受信することより前に共有無線周波数スペクトル帯域が利用可能であると決定するために使用され得、ダウンリンク送信の後まで再び共有無線周波数スペクトル帯域が利用可能であると決定することを控え得る。いくつかの例では、共有無線周波数スペクトル帯域が利用可能であると決定することは、ＣＣＡプロシージャを実行する、基地局からおよび／またはワイヤレス通信管理構成要素６２０によって少なくとも１つのチャネル予約信号（たとえば、少なくとも１つのＤ−ＣＵＢＳ）を受信することを含み得る。
【０１３３】
[0151]ＲＡＣＨ管理構成要素６４５は、ＰＣＣ上で、ＳＣＣ上のＲＡＣＨリソースについての要求を送信するために使用され得る。いくつかの例では、ＳＣＣ上のＲＡＣＨリソースについての要求は、ＰＨＹ信号中で、ＳＲ中で、ＭＡＣ制御要素中で、またはＵＣＩと多重化されてのうちの少なくとも１つで送信され得る。
【０１３４】
[0152]ＲＡＣＨ管理構成要素６４５はまた、ＳＣＣ上のＲＡＣＨリソースについての要求を送信したことに応答して、ＳＣＣ上でＲＡＣＨオケージョンの指示とＲＡＣＨリソースの指示とを受信するために使用され得る。いくつかの例では、ＰＣＣは、専用無線周波数スペクトル帯域または共有無線周波数スペクトル帯域のうちの１つ中にあり得、ＳＣＣは、共有無線周波数スペクトル帯域中にあり得る。
【０１３５】
[0153]基地局トリガアップリンク管理構成要素６５０は、共有無線周波数スペクトル帯域上で基地局からチャネル予約信号を受信するために使用され得る。いくつかの例では、チャネル予約信号はＤ−ＣＵＢＳを含み得る。いくつかの例では、チャネル予約信号は、アップリンク専用モードを示すＰＦＦＩＣＨを含み得る。
【０１３６】
[0154]いくつかの例では、チャネル予約信号は、共有無線周波数スペクトル帯域にアクセスし、ＣＣＡプロシージャを実行し、アップリンク送信が装置６１５によって行われることになる直前に共有無線周波数スペクトル帯域が利用可能であると決定する基地局によって送信され得る。いくつかの例では、基地局は、ダウンリンクデータまたは他の基準信号なしにチャネル予約信号を送信し、実現可能なときにスリープ状態に入り得る。他の例では、チャネル予約信号は、アップリンク専用モードの開始を識別するＰＦＦＩＣＨを含み得る。
【０１３７】
[0155]基地局トリガアップリンク管理構成要素６５０はまた、チャネル予約信号を受信すると、共有無線周波数スペクトル帯域へのアクセスを求めて競合することなしに、共有無線周波数スペクトル帯域上で、基地局へのアップリンク送信を開始するために使用され得る。いくつかの例では、アップリンク送信は別のアップリンク送信によって先行され得る。
【０１３８】
[0156]サービングセル情報管理構成要素６５５は、基地局から、第１のサービングセルと第２のサービングセルとがコロケートされるかどうかの指示を受信するために使用され得る。いくつかの例では、基地局は、第１のサービングセルと第２のサービングセルとがコロケートされるとき、または第１のサービングセルと第２のサービングセルとが理想的な（たとえば、低レイテンシ）バックホールによって接続されるとき、指示を取得し、送信し得る。
【０１３９】
[0157]サービングセル情報管理構成要素６５５はまた、第１のサービングセルと第２のサービングセルとがコロケートされるかどうかを決定するために使用され得る。いくつかの例では、第１のサービングセルと第２のサービングセルとは同じタイミングアドバンスグループ（ＴＡＧ：timing advance group）に属し得るが、コロケートされないことがある。
【０１４０】
[0158]第１のサービングセルと第２のサービングセルとがコロケートされるという指示を受信することに少なくとも部分的に基づいて、サービングセル情報管理構成要素６５５は、第２のサービングセルの情報を決定するために第１のサービングセルの情報を使用し得る。いくつかの例では、第１のサービングセルの情報は、第１の時間追跡、第１の周波数追跡、第１のドップラー追跡、または第１の経路損失測定値のうちの少なくとも１つを含み得、第２のサービングセルの情報は、第２の時間追跡、第２の周波数追跡、第２のドップラー追跡、または第２の経路損失測定値のうちの少なくとも１つを含み得る。
【０１４１】
[0159]いくつかの例では、サービングセル情報管理構成要素６５５は、第１のサービングセルと第２のサービングセルとの間の情報共有による劣化を防ぐために、第１のサービングセルと第２のサービングセルとがコロケートされないという決定を使用し得る。
【０１４２】
[0160]いくつかの例では、第１のサービングセルと第２のサービングセルの一方または両方は専用無線周波数スペクトル帯域上で装置６１５と通信し得るか、あるいは第１のサービングセルと第２のサービングセルの一方または両方は共有無線周波数スペクトル帯域上で装置６１５と通信し得る。いくつかの例では、第１のサービングセルと第２のサービングセルとのうちの一方は装置６１５のためのＰＣｅｌｌであり得、第１のサービングセルと第２のサービングセルとのうちの他方は装置６１５のためのＳＣｅｌｌであり得る。他の例では、第１のサービングセルと第２のサービングセルとのうちの少なくとも１つは装置６１５のためのＳＣｅｌｌであり得る。
【０１４３】
[0161]いくつかの例では、サービングセル情報管理構成要素６５５は、装置６１５のためのサービングセルの各ペアについて、サービングセルがコロケートされるかどうかの指示を受信し得る。代替的に、サービングセル情報管理構成要素６５５は、装置６１５のためのコロケートされたサービングセルの（１つまたは複数の）リストを受信し得る。
【０１４４】
[0162]図７に、本開示の様々な態様による、ワイヤレス通信において使用するための装置７０５のブロック図７００を示す。装置７０５は、図１、図２、図４Ａ、または図４Ｂを参照しながら説明した基地局１０５、２０５、２０５−ａ、４０５、４０５−ａ、または４０５−ｂのうちの１つまたは複数の態様の一例であり得る。装置７０５はまた、プロセッサであるか、またはプロセッサを含み得る。装置７０５は、受信機構成要素７１０、ワイヤレス通信管理構成要素７２０、または送信機構成要素７３０を含み得る。これらの構成要素のうちの少なくとも１つは、互いと通信し得る。
【０１４５】
[0163]装置７０５の構成要素は、適用可能な機能の一部または全部をハードウェアで実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る他のタイプの集積回路（たとえば、ストラクチャード／プラットフォームＡＳＩＣ、ＦＰＧＡ）、ＳｏＣ、および／または他のタイプのセミカスタムＩＣ）が使用され得る。少なくとも１つの構成要素の機能はまた、全体的にまたは部分的に、１つまたは複数の汎用または特定用途向けプロセッサによって実行されるようにフォーマットされた、メモリ中に組み込まれた命令を用いて実装され得る。
【０１４６】
[0164]いくつかの例では、受信機構成要素７１０は、専用無線周波数スペクトル帯域（たとえば、無線周波数スペクトル帯域が、何らかの使用のために一部のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））、または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１または図２を参照しながら説明したように、ＬＴＥ／ＬＴＥ−Ａ通信のために使用され得る。受信機構成要素７１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機構成要素（たとえば、専用ＲＦスペクトル帯域のためのＬＴＥ／ＬＴＥ−Ａ受信機構成要素７１２）、および共有無線周波数スペクトル帯域上で通信するためのＬＴＥ／ＬＴＥ−Ａ受信機構成要素（たとえば、共有ＲＦスペクトル帯域のためのＬＴＥ／ＬＴＥ−Ａ受信機構成要素７１４）の形態をとり得る。専用ＲＦスペクトル帯域のためのＬＴＥ／ＬＴＥ−Ａ受信機構成要素７１２または共有ＲＦスペクトル帯域のためのＬＴＥ／ＬＴＥ−Ａ受信機構成要素７１４を含む受信機構成要素７１０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を受信するために使用され得る。通信リンクは、専用無線周波数スペクトル帯域または共有無線周波数スペクトル帯域上で確立され得る。
【０１４７】
[0165]いくつかの例では、送信機構成要素７３０は、専用無線周波数スペクトル帯域または共有無線周波数スペクトル帯域上で送信するように動作可能な少なくとも１つのＲＦ送信機など、少なくとも１つのＲＦ送信機を含み得る。送信機構成要素７３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機構成要素（たとえば、専用ＲＦスペクトル帯域のためのＬＴＥ／ＬＴＥ−Ａ送信機構成要素７３２）、および共有無線周波数スペクトル帯域上で通信するためのＬＴＥ／ＬＴＥ−Ａ送信機構成要素（たとえば、共有ＲＦスペクトル帯域のためのＬＴＥ／ＬＴＥ−Ａ送信機構成要素７３４）の形態をとり得る。専用ＲＦスペクトル帯域のためのＬＴＥ／ＬＴＥ−Ａ送信機構成要素７３２または共有ＲＦスペクトル帯域のためのＬＴＥ／ＬＴＥ−Ａ送信機構成要素７３４を含む送信機構成要素７３０は、図１、図２、図４Ａ、または図４Ｂを参照しながら説明したワイヤレス通信システム１００、２００、４００、または４５０の１つまたは複数の通信リンクなど、ワイヤレス通信システムの１つまたは複数の通信リンク上で様々なタイプのデータまたは制御信号（すなわち、送信）を送信するために使用され得る。通信リンクは、専用無線周波数スペクトル帯域または共有無線周波数スペクトル帯域上で確立され得る。
【０１４８】
[0166]いくつかの例では、ワイヤレス通信管理構成要素７２０は、装置７０５のためのワイヤレス通信の１つまたは複数の態様を管理するために使用され得る。いくつかの例では、ワイヤレス通信管理構成要素７２０は、パーシャルサブフレーム送信構成要素７３５、チャネル予約信号送信構成要素７４０、ダウンリンクアップリンク送信構成管理構成要素７４５、ＲＡＣＨリソース割振り構成要素７５０、基地局トリガアップリンク管理構成要素７５５、またはサービングセルコロケーション情報送信構成要素７６０を含み得る。
【０１４９】
[0167]パーシャルサブフレーム送信構成要素７３５は、図５を参照しながら説明した半静的構成パーシャルサブフレーム処理構成要素５４０によって受信される半静的パーシャルサブフレーム構成、動的パーシャルサブフレーム構成、許可、またはデータを生成および送信するために使用され得る。パーシャルサブフレーム送信は、同じくまたは代替的に、図５を参照しながら説明した代替的符号化パーシャルサブフレーム処理構成要素５４５によって受信される第１のデータまたは第２のデータを生成および送信するために使用され得る。パーシャルサブフレーム送信は、同じくまたは代替的に、図５を参照しながら説明したスケーリング制御チャネル処理構成要素５５０によって受信される、スケーリングされた制御チャネルを生成および送信するために使用され得る。パーシャルサブフレーム送信は、同じくまたは代替的に、図５を参照しながら説明した分離制御チャネル処理構成要素５５５によって受信される同一キャリアスケジューリングまたはクロスキャリアスケジューリングを生成および送信するために使用され得る。
【０１５０】
[0168]チャネル予約信号送信構成要素７４０は、図６を参照しながら説明したチャネル予約信号処理構成要素６３５によって受信される少なくとも１つのチャネル予約信号を生成および送信するために使用され得る。
【０１５１】
[0169]ダウンリンクアップリンク送信構成管理構成要素７４５は、図６を参照しながら説明したダウンリンクアップリンク送信構成処理構成要素６４０によって受信される第１の指示、第２の指示、またはダウンリンク送信を生成および送信するために使用され得る。
【０１５２】
[0170]ＲＡＣＨリソース割振り構成要素７５０は、図６を参照しながら説明したＲＡＣＨ管理構成要素６４５によって受信されるＲＡＣＨオケージョンの指示とＲＡＣＨリソースの指示とを生成および送信するために使用され得る。
【０１５３】
[0171]基地局トリガアップリンク管理構成要素７５５は、図６を参照しながら説明した基地局トリガアップリンク管理構成要素６５０によって受信されるチャネル予約信号を生成および送信するために使用され得る。
【０１５４】
[0172]サービングセルコロケーション情報送信構成要素７６０は、図６を参照しながら説明したサービングセル情報管理構成要素６５５によって受信されるように、第１のサービングセルと第２のサービングセルとがコロケートされるかどうかの指示を生成および送信するために使用され得る。
【０１５５】
[0173]図８に、本開示の様々な態様による、ワイヤレス通信において使用するためのＵＥ８１５のブロック図８００を示す。ＵＥ８１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなど含まれるかまたはそれらの一部であり得る。ＵＥ８１５は、いくつかの例では、モバイル動作を可能にするために、小型バッテリーなどの内部電源（図示せず）を有し得る。いくつかの例では、ＵＥ８１５は、図１、図２、または図４を参照しながら説明したＵＥ１１５、２１５、２１５−ａ、２１５−ｂ、２１５−ｃ、４１５、または４１５−ａのうちの１つまたは複数の態様、あるいは図５または図６を参照しながら説明した装置５１５または６１５のうちの１つまたは複数の態様の一例であり得る。ＵＥ８１５は、図１、図２、図３、図４Ａ、図４Ｂ、図５、または図６を参照しながら説明したＵＥまたは装置の特徴および機能のうちの少なくともいくつかを実装するように構成され得る。
【０１５６】
[0174]ＵＥ８１５は、ＵＥプロセッサ構成要素８１０、ＵＥメモリ構成要素８２０、（（１つまたは複数の）ＵＥトランシーバ構成要素８３０によって表される）少なくとも１つのＵＥトランシーバ構成要素、（（１つまたは複数の）ＵＥアンテナ８４０によって表される）少なくとも１つのＵＥアンテナ、またはＵＥワイヤレス通信管理構成要素８６０を含み得る。これらの構成要素のうちの少なくとも１つは、１つまたは複数のバス８３５上で、直接または間接的に、互いと通信していることがある。
【０１５７】
[0175]ＵＥメモリ構成要素８２０は、ランダムアクセスメモリ（ＲＡＭ）または読取り専用メモリ（ＲＯＭ）を含み得る。ＵＥメモリ構成要素８２０は、実行されたとき、たとえば、パーシャルサブフレームに関係する情報またはパーシャルサブフレームに関してスケジュールされたデータの処理、チャネル予約信号の処理、ダウンリンクアップリンク送信構成の処理、ＲＡＣＨプロシージャの管理、基地局トリガアップリンク送信の管理、あるいはサービングセルコロケーション情報の管理を含む、ワイヤレス通信に関係する本明細書で説明する様々な機能をＵＥプロセッサ構成要素８１０に実行させるように構成された命令を含んでいるコンピュータ可読、コンピュータ実行可能コード８２５を記憶し得る。代替的に、コード８２５は、ＵＥプロセッサ構成要素８１０によって直接的に実行可能ではないが、（たとえば、コンパイルされ、実行されたとき）本明細書で説明する機能のうちのいくつかをＵＥ８１５に実行させるように構成され得る。
【０１５８】
[0176]ＵＥプロセッサ構成要素８１０は、インテリジェントハードウェアデバイス、たとえば、中央処理ユニット（ＣＰＵ）、マイクロコントローラ、ＡＳＩＣなどを含み得る。ＵＥプロセッサ構成要素８１０は、（１つまたは複数の）ＵＥトランシーバ構成要素８３０を通して受信された情報または（１つまたは複数の）ＵＥアンテナ８４０を通した送信のために（１つまたは複数の）ＵＥトランシーバ構成要素８３０に送られるべき情報を処理し得る。ＵＥプロセッサ構成要素８１０は、単独で、またはＵＥワイヤレス通信管理構成要素８６０とともに、専用無線周波数スペクトル帯域（たとえば、無線周波数スペクトル帯域が、何らかの使用のために一部のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域））または共有無線周波数スペクトル帯域（たとえば、送信装置がそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１５９】
[0177]（１つまたは複数の）ＵＥトランシーバ構成要素８３０は、パケットを変調し、変調されたパケットを送信のために（１つまたは複数の）ＵＥアンテナ８４０に与え、（１つまたは複数の）ＵＥアンテナ８４０から受信されたパケットを復調するように構成されたモデムを含み得る。（１つまたは複数の）ＵＥトランシーバ構成要素８３０は、いくつかの例では、１つまたは複数のＵＥ送信機構成要素および１つまたは複数の別個のＵＥ受信機構成要素として実装され得る。（１つまたは複数の）ＵＥトランシーバ構成要素８３０は、認可無線周波数スペクトル帯域または無認可無線周波数スペクトル帯域における通信をサポートし得る。（１つまたは複数の）ＵＥトランシーバ構成要素８３０は、（１つまたは複数の）ＵＥアンテナ８４０を介して、図１、図２、図４Ａ、または図４Ｂを参照しながら説明した基地局１０５、２０５、２０５−ａ、４０５、４０５−ａ、または４０５−ｂのうちの１つまたは複数と双方向に通信するように構成され得る。ＵＥ８１５は単一のＵＥアンテナを含み得るが、ＵＥ８１５が複数のＵＥアンテナ８４０を含み得る例があり得る。
【０１６０】
[0178]ＵＥワイヤレス通信管理構成要素８６０は、専用無線周波数スペクトル帯域または共有無線周波数スペクトル帯域上でのワイヤレス通信に関係する図１、図２、図３、図４Ａ、図４Ｂ、図５、または図６を参照しながら説明したＵＥまたは装置の特徴または機能の一部または全部を実行または制御するように構成され得る。たとえば、ＵＥワイヤレス通信管理構成要素８６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。ＵＥワイヤレス通信管理構成要素８６０は、専用無線周波数スペクトル帯域におけるＬＴＥ／ＬＴＥ−Ａ通信を扱うように構成された、専用ＲＦスペクトル帯域のためのＵＥ  ＬＴＥ／ＬＴＥ−Ａ構成要素８６５、または共有無線周波数スペクトル帯域におけるＬＴＥ／ＬＴＥ−Ａ通信を扱うように構成された、共有ＲＦスペクトル帯域のためのＵＥ  ＬＴＥ／ＬＴＥ−Ａ構成要素８７０を含み得る。ＵＥワイヤレス通信管理構成要素８６０、またはそれの部分はプロセッサを含み得、あるいはＵＥワイヤレス通信管理構成要素８６０の機能の一部または全部は、ＵＥプロセッサ構成要素８１０によって実行されるか、またはＵＥプロセッサ構成要素８１０とともに実行され得る。いくつかの例では、ＵＥワイヤレス通信管理構成要素８６０は、図５または図６を参照しながら説明したワイヤレス通信管理構成要素５２０または６２０の一例であり得る。
【０１６１】
[0179]図９に、本開示の様々な態様による、ワイヤレス通信において使用するための基地局９０５（たとえば、ｅＮＢの一部または全部を形成する基地局）のブロック図９００を示す。いくつかの例では、基地局９０５は、図１、図２、図４Ａ、または図４Ｂを参照しながら説明した基地局１０５、２０５、２０５−ａ、４０５、４０５−ａ、または４０５−ｂの１つまたは複数の態様、あるいは図７を参照しながら説明した装置７０５の態様の一例であり得る。基地局９０５は、図１、図２、図３、図４Ａ、図４Ｂ、または図７を参照しながら説明した基地局の特徴および機能のうちの少なくともいくつかを実装するかまたは可能にするように構成され得る。
【０１６２】
[0180]基地局９０５は、基地局プロセッサ構成要素９１０、基地局メモリ構成要素９２０、（（１つまたは複数の）基地局トランシーバ構成要素９５０によって表される）少なくとも１つの基地局トランシーバ構成要素、（（１つまたは複数の）基地局アンテナ９５５によって表される）少なくとも１つの基地局アンテナ、または基地局ワイヤレス通信管理構成要素９６０を含み得る。基地局９０５はまた、基地局通信構成要素９３０またはネットワーク通信構成要素９４０のうちの１つまたは複数を含み得る。これらの構成要素のうちの少なくとも１つは、１つまたは複数のバス９３５上で、直接または間接的に、互いと通信していることがある。
【０１６３】
[0181]基地局メモリ構成要素９２０はＲＡＭまたはＲＯＭを含み得る。基地局メモリ構成要素９２０は、実行されたとき、たとえば、パーシャルサブフレームに関係する情報またはパーシャルサブフレームに関してスケジュールされたデータの送信、チャネル予約信号の送信、ダウンリンクアップリンク送信構成の送信、ＲＡＣＨリソースの割振り、基地局トリガアップリンク送信の管理、あるいはサービングセルコロケーション情報の送信を含む、ワイヤレス通信に関係する本明細書で説明する様々な機能を基地局プロセッサ構成要素９１０に実行させるように構成された命令を含んでいるコンピュータ可読、コンピュータ実行可能コード９２５を記憶し得る。代替的に、コード９２５は、基地局プロセッサ構成要素９１０によって直接的に実行可能ではないが、（たとえば、コンパイルされ、実行されたとき）本明細書で説明する機能のうちのいくつかを基地局９０５に実行させるように構成され得る。
【０１６４】
[0182]基地局プロセッサ構成要素９１０は、インテリジェントハードウェアデバイス、たとえば、ＣＰＵ、マイクロコントローラ、ＡＳＩＣなどを含み得る。基地局プロセッサ構成要素９１０は、（１つまたは複数の）基地局トランシーバ構成要素９５０、基地局通信構成要素９３０、またはネットワーク通信構成要素９４０を通して受信された情報を処理し得る。基地局プロセッサ構成要素９１０はまた、（１つまたは複数の）アンテナ９５５を通した送信のために（１つまたは複数の）トランシーバ構成要素９５０に送られるべき情報、１つまたは複数の他の基地局９０５−ａおよび９０５−ｂへの送信のために基地局通信構成要素９３０に送られるべき情報、または図１を参照しながら説明したコアネットワーク１３０の１つまたは複数の態様の一例であり得る、コアネットワーク９４５への送信のためにネットワーク通信構成要素９４０に送られるべき情報を処理し得る。基地局プロセッサ構成要素９１０は、単独で、または、基地局ワイヤレス通信管理構成要素９６０とともに、専用無線周波数スペクトル帯域または共有無線周波数スペクトル帯域上で通信すること（またはそれの上での通信を管理すること）の様々な態様を扱い得る。専用無線周波数スペクトル帯域は、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域など、何らかの使用のための一部のユーザに認可された無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１６５】
[0183]（１つまたは複数の）基地局トランシーバ構成要素９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバ構成要素９５０は、いくつかの例では、１つまたは複数の基地局送信機構成要素および１つまたは複数の別個の基地局受信機構成要素として実装され得る。（１つまたは複数の）基地局トランシーバ構成要素９５０は、専用無線周波数スペクトル帯域または共有無線周波数スペクトル帯域における通信をサポートし得る。（１つまたは複数の）基地局トランシーバ構成要素９５０は、（１つまたは複数の）アンテナ９５５を介して、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数、あるいは図５または図６を参照しながら説明した装置５１５または６１５のうちの１つまたは複数など、１つまたは複数のＵＥまたは装置と双方向に通信するように構成され得る。基地局９０５は、たとえば、複数の基地局アンテナ９５５（たとえば、アンテナアレイ）を含み得る。基地局９０５は、ネットワーク通信構成要素９４０を通してコアネットワーク９４５と通信し得る。基地局９０５はまた、基地局通信構成要素９３０を使用して、基地局９０５−ａおよび９０５−ｂなど、他の基地局と通信し得る。
【０１６６】
[0184]基地局ワイヤレス通信管理構成要素９６０は、専用無線周波数スペクトル帯域または共有無線周波数スペクトル帯域上でのワイヤレス通信に関係する図１、図２、図３、図４Ａ、図４Ｂ、または図７を参照しながら説明した特徴または機能の一部または全部を実行または制御するように構成され得る。たとえば、基地局ワイヤレス通信管理構成要素９６０は、専用無線周波数スペクトル帯域または共有無線周波数スペクトル帯域を使用して、補足ダウンリンクモード（たとえば、認可支援アクセスモード）、キャリアアグリゲーションモード、またはスタンドアロンモードをサポートするように構成され得る。基地局ワイヤレス通信管理構成要素９６０は、専用無線周波数スペクトル帯域におけるＬＴＥ／ＬＴＥ−Ａ通信を扱うように構成された、専用ＲＦスペクトル帯域のための基地局ＬＴＥ／ＬＴＥ−Ａ構成要素９６５と、共有無線周波数スペクトル帯域におけるＬＴＥ／ＬＴＥ−Ａ通信を扱うように構成された、共有ＲＦスペクトル帯域のための基地局ＬＴＥ／ＬＴＥ−Ａ構成要素９７０とを含み得る。基地局ワイヤレス通信管理構成要素９６０、またはそれの部分はプロセッサを含み得、あるいは基地局ワイヤレス通信管理構成要素９６０の機能の一部または全部は、基地局プロセッサ構成要素９１０によって実行されるか、または基地局プロセッサ構成要素９１０とともに実行され得る。いくつかの例では、基地局ワイヤレス通信管理構成要素９６０は、図７を参照しながら説明したワイヤレス通信管理構成要素７２０の一例であり得る。
【０１６７】
[0185]図１０は、本開示の様々な態様による、ワイヤレス通信のための例示的な方法１０００を示すフローチャートである。明快のために、方法１０００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図５を参照しながら説明した装置５１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１６８】
[0186]ブロック１００５において、方法１０００は、半静的パーシャルサブフレーム構成と、対応するパーシャルサブフレーム識別子（たとえば、パーシャルサブフレームＲＮＴＩ）とを受信することを含み得る。いくつかの例では、半静的パーシャルサブフレーム構成は（たとえば、基地局からの）ＲＲＣメッセージ中で受信され得る。いくつかの例では、半静的パーシャルサブフレーム構成は、少なくともＲＢ割振りタイプ、またはＲＢ割振り、または送信ランク、またはＭＣＳ、またはＴＢＳテーブル、あるいはそれらの組合せを含み得る。いくつかの例では、半静的パーシャルサブフレーム構成は、ＴＤＭ構成またはＦＤＭ構成のうちの少なくとも１つを含み得る。いくつかの例では、半静的パーシャルサブフレーム構成は、サブフレームの始端において、またはサブフレームの終端において生じるパーシャルサブフレームのためのものであり得る。いくつかの例では、半静的パーシャルサブフレーム構成は（たとえば、パーシャルサブフレーム中の割振りのために利用可能であり得る限られた数のリソースのために）１つまたは少数のＵＥに送信され得る。
【０１６９】
[0187]いくつかの例では、半静的パーシャルサブフレーム構成は、半静的パーシャルサブフレーム構成が適用されるパーシャルサブフレームのタイプを示し得る。いくつかの例では、パーシャルサブフレームのタイプはパーシャルサブフレームの長さに少なくとも部分的に基づき得る。たとえば、半静的パーシャルサブフレーム構成は、それが７つのシンボル期間（たとえば、７つのＯＦＤＭシンボル期間）の持続時間を有するパーシャルサブフレームに適用されることを示し得る。他の半静的パーシャルサブフレーム構成は、他のタイプのパーシャルサブフレーム（たとえば、４つのシンボル期間または１０個のシンボル期間の持続時間を有するパーシャルサブフレーム）について受信され得る。より短い持続時間のパーシャルサブフレームは、復調のために利用可能なＤＭＲＳに対する限定により、より低い送信ランク構成（たとえば、ランク１または２）に関連し得る）。
【０１７０】
[0188]ブロック１０１０において、方法１０００は、半静的パーシャルサブフレーム構成が適用されるパーシャルサブフレームの数、半静的パーシャルサブフレーム構成が適用されるダウンリンクバーストの数、半静的パーシャルサブフレーム構成が適用される持続時間、または代替指示が受信されるまで半静的パーシャルサブフレーム構成が適用されるという指示のうちの少なくとも１つの指示を受信することを随意に含み得る。いくつかの例では、ブロック１０１０において受信される指示は、半静的パーシャルサブフレーム構成とともに受信され得る。
【０１７１】
[0189]ブロック１０１５において、方法１０００は、パーシャルサブフレームのための許可を受信することを含み得る。許可はパーシャルサブフレーム識別子を識別し得る。いくつかの例では、許可は専用無線周波数スペクトル帯域上で受信され得る。いくつかの例では、許可は、ＰＣＣ上で（たとえば、専用無線周波数スペクトル帯域において、または共有無線周波数スペクトル帯域において）受信され得る。専用無線周波数スペクトル帯域は、無線周波数スペクトル帯域が何らかの使用のために一部のユーザに認可されているので、送信装置がそれのためにアクセスを求めて競合しないことがある無線周波数スペクトル帯域（たとえば、ＬＴＥ／ＬＴＥ−Ａ通信のために使用可能な認可無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、許可は、ＨＡＲＱ  ＩＤ、または再送信インデックス、またはＮＤＩ、あるいはそれらの組合せを含み得る。少なくとも部分的に半静的パーシャルサブフレーム構成のために、ブロック１０１５において受信される許可は、フルサブフレームのために受信される許可よりも少数のリソースを使用し得る。
【０１７２】
[0190]ブロック１０２０において、方法１０００は、動的パーシャルサブフレーム構成を受信することを随意に含み得る。いくつかの例では、動的パーシャルサブフレーム構成は許可とともに受信され得る。
【０１７３】
[0191]ブロック１０２５において、方法１０００は、半静的パーシャルサブフレーム構成に少なくとも部分的に基づいて、共有無線周波数スペクトル帯域上でパーシャルサブフレームに関してスケジュールされたデータを受信することを含み得る。動的パーシャルサブフレーム構成がブロック１０２０において受信されたとき、パーシャルサブフレームに関してスケジュールされたデータはまた、動的パーシャルサブフレーム構成に少なくとも部分的に基づいて受信され得る。
【０１７４】
[0192]いくつかの例では、方法１０００は、半静的パーシャルサブフレーム構成に少なくとも部分的に基づいて、共有無線周波数スペクトル帯域上で複数のパーシャルサブフレームに関してスケジュールされたデータを受信することを含み得る。たとえば、データは、ブロック１０１０において指定された数のパーシャルサブフレーム、ブロック１０１０において指定された数のダウンリンクバースト、またはブロック１０１０において指定された持続時間の間、あるいは代替指示（たとえば、異なる半静的パーシャルサブフレーム構成）が受信されるまで受信され得る。方法１０００のいくつかの例では、ブロック１０１５において受信される単一の許可が、複数のパーシャルサブフレームまたはそれのサブセットに適用され得る。
【０１７５】
[0193]いくつかの例では、ブロック１０２５において受信されるデータは初期データ送信に対応し得、データが復号され得ないとき、またはデータの受信がＮＡＫされたとき、方法１０００は、少なくとも１つのフルサブフレーム中で、パーシャルサブフレーム中で最初に送信されたデータの再送信を受信することを含み得る（たとえば、いくつかの例では、パーシャルサブフレーム中の送信に関して最初にスケジュールされたデータは、パーシャルサブフレーム中の再送信に関してスケジュールされないことがある）。
【０１７６】
[0194]ブロック１００５、１０１０、１０１５、１０２０、または１０２５における（１つまたは複数の）動作は、図５または図８を参照しながら説明したワイヤレス通信管理構成要素５２０または８６０、あるいは図５を参照しながら説明したパーシャルサブフレーム処理構成要素５３５または半静的構成パーシャルサブフレーム処理構成要素５４０を使用して実行され得る。
【０１７７】
[0195]したがって、方法１０００はワイヤレス通信を提供し得る。方法１０００は一実装形態にすぎないこと、および方法１０００の動作は、他の実装形態が可能であるように、並べ替えられるかまたは場合によっては変更され得ることに留意されたい。
【０１７８】
[0196]図１１は、本開示の様々な態様による、ワイヤレス通信のための例示的な方法１１００を示すフローチャートである。明快のために、方法１１００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図５を参照しながら説明した装置５１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１７９】
[0197]ブロック１１０５において、方法１１００は、共有無線周波数スペクトル帯域上でパーシャルサブフレームに関してスケジュールされた第１のデータを受信することを含み得る。パーシャルサブフェイムは、フルサブフレームとして符号化されたサブフレームの一部分を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１８０】
[0198]ブロック１１１０において、方法１１００は、共有無線周波数スペクトル帯域上でフルサブフレームに関してスケジュールされた第２のデータを受信することを含み得、ここで、第１のデータと第２のデータとは別様に符号化される。
【０１８１】
[0199]方法１１００のいくつかの例では、第１のデータは、第１のデータがその上で受信されるチャネルのチャネル品質によってサポートされる第２のＭＣＳまたは第２のＴＢＳよりも低い第１のＭＣＳまたは第１のＴＢＳのうちの少なくとも１つを使用して符号化され得る（たとえば、第１のＭＣＳまたは第１のＴＢＳは、第２のＭＣＳまたは第２のＴＢＳよりも控えめに選択され得る）。第１のＭＣＳおよび／または第１のＴＢＳは、第１のデータを復号することが可能であることのＵＥの尤度を高め、それにより、第１のデータが再送信される必要があり得るという尤度を減少させ得る。いくつかの例では、第１のデータは、フルサブフレームのために符号化されたデータの一部分を含み得る。フルサブフレームのためのデータが冗長を含むとき、ＵＥは、第１のデータを受信し、データのほんの一部分を受信したにもかかわらず第１のデータを適切に復号することが可能であり得る。
【０１８２】
[0200]ブロック１１０５または１１１０における（１つまたは複数の）動作は、図５または図８を参照しながら説明したワイヤレス通信管理構成要素５２０または８６０、あるいは図５を参照しながら説明したパーシャルサブフレーム処理構成要素５３５または代替的符号化パーシャルサブフレーム処理構成要素５４５を使用して実行され得る。
【０１８３】
[0201]したがって、方法１１００はワイヤレス通信を提供し得る。方法１１００は一実装形態にすぎないこと、および方法１１００の動作は、他の実装形態が可能であるように、並べ替えられるかまたは場合によっては変更され得ることに留意されたい。
【０１８４】
[0202]図１２は、本開示の様々な態様による、ワイヤレス通信のための例示的な方法１２００を示すフローチャートである。明快のために、方法１２００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図５を参照しながら説明した装置５１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１８５】
[0203]ブロック１２０５において、方法１２００は、共有無線周波数スペクトル帯域上でパーシャルサブフレームの制御チャネルを受信することを含み得る。制御チャネルに割り振られたリソースの第１の量は、パーシャルサブフレームに割り振られたリソースの第２の量に少なくとも部分的に基づき得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、制御チャネルはＥＰＤＣＣＨを含み得る。いくつかの例では、リソースの第１の量は、リソースブロックの量など、周波数リソースの量を含み得る。いくつかの例では、パーシャルサブフレームに割り振られたリソースの第２の量が時間リソースのより少ない量を含むとき、周波数リソースの量は、より高くスケーリングされ得、パーシャルサブフレームに割り振られたリソースの第２の量が時間リソースのより多い量を含むとき、周波数リソースの量は、より低くスケーリングされ得る。
【０１８６】
[0204]方法１２００のいくつかの例では、パーシャルサブフレームが１０個のシンボル期間の持続時間を有するとき（たとえば、リソースの第２の量が１０個のシンボル期間を含むとき）、リソースの第１の量は５つのリソースブロックを含み得、パーシャルサブフレームが７つのシンボル期間の持続時間（たとえば、１／２サブフレームまたは１スロットの持続時間）を有するとき、リソースの第１の量は６つまたは８つのリソースブロックを含み得、パーシャルサブフレームが４つのシンボル期間の持続時間を有するとき、リソースの第１の量は１０個のリソースブロックを含み得る。リソースの第２の量が１４個のシンボル期間（たとえば、フルサブフレーム）を含むとき、リソースの第１の量は４つのリソースブロックを含み得る。いくつかの例では、シンボル期間はＯＦＤＭシンボル期間であり得る。
【０１８７】
[0205]ブロック１２０５における（１つまたは複数の）動作は、図５または図８を参照しながら説明したワイヤレス通信管理構成要素５２０または８６０、あるいは図５を参照しながら説明したパーシャルサブフレーム処理構成要素５３５またはスケーリング制御チャネル処理構成要素５５０を使用して実行され得る。
【０１８８】
[0206]したがって、方法１２００はワイヤレス通信を提供し得る。方法１２００は一実装形態にすぎないこと、および方法１２００の動作は、他の実装形態が可能であるように、並べ替えられるかまたは場合によっては変更され得ることに留意されたい。
【０１８９】
[0207]図１３は、本開示の様々な態様による、ワイヤレス通信のための例示的な方法１３００を示すフローチャートである。明快のために、方法１３００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図５を参照しながら説明した装置５１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１９０】
[0208]ブロック１３０５において、方法１３００は、共有無線周波数スペクトル帯域上で送信されるパーシャルサブフレームのための同一キャリアスケジューリングを受信することを含み得る（たとえば、パーシャルサブフレームは自己スケジュールされ得る）。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、同一キャリアスケジューリングはＥＰＤＣＣＨ上で受信され得る。
【０１９１】
[0209]ブロック１３１０において、方法１３００は、共有無線周波数スペクトル帯域上で受信されるフルサブフレームのための同一キャリアスケジューリングまたはクロスキャリアスケジューリングのうちの１つを受信することを含み得る。いくつかの例では、フルサブフレームのための同一キャリアスケジューリングはＥＰＤＣＣＨ上で受信され得る。いくつかの例では、クロスキャリアスケジューリングは専用無線周波数スペクトル帯域中のＰＣＣ上で受信され得る。いくつかの例では、クロスキャリアスケジューリングはＰＤＣＣＨ上で受信され得る。他の例では、クロスキャリアスケジューリングは、共有無線周波数スペクトル帯域または専用無線周波数スペクトル帯域中のＳＣＣ上で受信され得る。これらの例では、クロスキャリアスケジューリングは、（共有無線周波数スペクトル帯域中の）ＥＰＤＣＣＨまたは（専用無線周波数スペクトル帯域中の）ＰＤＣＣＨ上で受信され得る。専用無線周波数スペクトル帯域は、無線周波数スペクトル帯域が何らかの使用のために一部のユーザに認可されているので、送信装置がそれのためにアクセスを求めて競合しないことがある無線周波数スペクトル帯域（たとえば、ＬＴＥ／ＬＴＥ−Ａ通信のために使用可能な認可無線周波数スペクトル帯域）を含み得る。
【０１９２】
[0210]ブロック１３０５または１３１０における（１つまたは複数の）動作は、図５または図８を参照しながら説明したワイヤレス通信管理構成要素５２０または８６０、あるいは図５を参照しながら説明したパーシャルサブフレーム処理構成要素５３５または分離制御チャネル処理構成要素５５５を使用して実行され得る。
【０１９３】
[0211]したがって、方法１３００はワイヤレス通信を提供し得る。方法１３００は一実装形態にすぎないこと、および方法１３００の動作は、他の実装形態が可能であるように、並べ替えられるかまたは場合によっては変更され得ることに留意されたい。
【０１９４】
[0212]図１４は、本開示の様々な態様による、ワイヤレス通信のための例示的な方法１４００を示すフローチャートである。明快のために、方法１４００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図６を参照しながら説明した装置６１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０１９５】
[0213]ブロック１４０５において、方法１４００は、共有無線周波数スペクトル帯域上で送信される少なくとも１つのチャネル予約信号について複数のシンボル期間（たとえば、サブフレームのＯＦＤＭシンボル期間）を監視することを含み得る。少なくとも１つのチャネル予約信号は、複数のシンボル期間のうちの少なくとも１つのシンボル期間に少なくとも部分的に基づいて符号化され得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、少なくとも１つのチャネル予約信号は、少なくとも１つのＤ−ＣＵＢＳを含み得る。
【０１９６】
[0214]いくつかの例では、共有無線周波数スペクトル帯域上で送信される少なくとも１つのチャネル予約信号は、チャネル予約信号がその間に送信されるシンボル期間の数に基づいて符号化されたチャネル予約信号を含み得る。したがって、２つのシンボル期間の間に送信される第１のチャネル予約信号の第１の符号化は、１つのシンボル期間の間に送信される第２のチャネル予約信号の第２の符号化とは異なり得る。チャネル予約信号は、たとえば、基地局が共有無線周波数スペクトル帯域へのアクセスを求める競合に勝ち、チャネル予約信号を送信し始めるシンボル期間に基づいて、複数の異なる持続時間のうちの１つの間に送信され得る。
【０１９７】
[0215]いくつかの例では、共有無線周波数スペクトル帯域上で送信される少なくとも１つのチャネル予約信号は、複数のシンボル期間のうちの異なる隣接シンボル期間中で送信される複数のチャネル予約信号を含み得る。これらの例では、複数のシンボル期間のうちの第１のシンボル期間中で受信される第１のチャネル予約信号の符号化は、複数のシンボル期間のうちの第２のシンボル期間中で受信される第２のチャネル予約信号の符号化とは異なり得る。いくつかの例では、各チャネル予約信号の符号化は異なり得る。他の例では、異なるシンボル期間中で送信されるチャネル予約信号は、異なるシードを用いてスクランブルされ得る。
【０１９８】
[0216]ブロック１４１０において、方法１４００は、少なくとも１つのチャネル予約信号と後続のダウンリンク送信との間で送信されるＣＲＳを監視することを随意に含み得る。少なくとも１つのチャネル予約信号のうちの少なくとも１つは、ＣＲＳとは別様に符号化され得る。いくつかの例では、（１つまたは複数の）異なる符号化は、（１つまたは複数の）異なるシーケンススクランブリングを含み得る。
【０１９９】
[0217]ブロック１４１５において、方法１４００は、共有無線周波数スペクトル帯域上でダウンリンク送信を受信することを含み得る。ダウンリンク送信は少なくとも１つのチャネル予約信号に続き得る。いくつかの例では、ダウンリンク送信は、パーシャルサブフレームに関してスケジュールされたデータを含み得る。
【０２００】
[0218]ブロック１４０５、１４１０、または１４１５における（１つまたは複数の）動作は、図６または図８を参照しながら説明したワイヤレス通信管理構成要素６２０または８６０、あるいは図６を参照しながら説明したチャネル予約信号処理構成要素６３５を使用して実行され得る。
【０２０１】
[0219]したがって、方法１４００はワイヤレス通信を提供し得る。方法１４００は一実装形態にすぎないこと、および方法１４００の動作は、他の実装形態が可能であるように、並べ替えられるかまたは場合によっては変更され得ることに留意されたい。
【０２０２】
[0220]図１５は、本開示の様々な態様による、ワイヤレス通信のための例示的な方法１５００を示すフローチャートである。明快のために、方法１５００について、図１、図２、図４Ａ、図４Ｂ、または図８を参照しながら説明したＵＥ１１５、２１５、２１５−ａ、２１５−ｂ、２１５−ｃ、４１５、４１５−ａ、または６１５のうちの１つまたは複数の態様、あるいは図６を参照しながら説明した装置６１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２０３】
[0221]ブロック１５０５において、方法１５００は、フレーム期間の複数のダウンリンクアップリンク送信構成のサブセット（すなわち、フレーム期間の可能なダウンリンクアップリンク送信構成のすべてに満たないサブセット）の第１の指示を受信することを含み得る。いくつかの例では、複数のダウンリンクアップリンク送信構成のサブセットは少なくとも１つのパーシャルサブフレーム構成を含み得る。いくつかの例では、ダウンリンクアップリンク送信構成のサブセットの第１の指示はＲＲＣメッセージ中で受信され得る。
【０２０４】
[0222]ブロック１５１０において、方法１５００は、複数のダウンリンクアップリンク送信構成のサブセット中に含まれるダウンリンクアップリンク送信構成の第２の指示を受信することを含み得る。いくつかの例では、第２の指示はｅＩＭＴＡ構成と同様であり得る。いくつかの例では、第２の指示は、複数のダウンリンクバースト、または複数のアップリンクバースト、または複数のダウンリンクバーストおよび少なくとも１つのアップリンクバースト、または複数のアップリンクバーストおよび少なくとも１つのダウンリンクバースト、あるいはそれらの組合せのうちの少なくとも１つを含むダウンリンクアップリンク構成を示し得る（およびしたがって、複数のダウンリンクアップリンク送信構成のサブセットは、そのダウンリンクアップリンク構成を含み得る）。いくつかの例では、第２の指示は、ダウンリンクバーストとアップリンクバーストとを交互に行うシーケンスを含むダウンリンクアップリンク構成を示し得る。いくつかの例では、第２の指示はＰＦＦＩＣＨ上で受信され得る。
【０２０５】
[0223]ブロック１５１５において、方法１５００は、示されたダウンリンクアップリンク送信構成に従って共有無線周波数スペクトル帯域上でダウンリンク送信を受信することを含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０２０６】
[0224]方法１５００のいくつかの例では、ブロック１５１５において受信される、ダウンリンク送信のダウンリンクバーストまたはアップリンクバーストのうちの少なくとも１つは、他のダウンリンクバーストまたは他のアップリンクバーストから送信ギャップだけ分離され得る。いくつかの例では、送信ギャップは、いくつかのＣＣＡオケージョン（たとえば、１つまたは複数のＣＣＡオケージョン）を含み得る。
【０２０７】
[0225]いくつかの例では、方法１５００は、ダウンリンク送信を受信することより前に共有無線周波数スペクトル帯域が利用可能であると決定することと、ダウンリンク送信の後まで再び共有無線周波数スペクトル帯域が利用可能であると決定することを控えることとを含み得る。いくつかの例では、共有無線周波数スペクトル帯域が利用可能であると決定することは、基地局から少なくとも１つのチャネル予約信号（たとえば、少なくとも１つのＤ−ＣＵＢＳ）を受信すること、および／あるいは方法１５００を実行するＵＥまたは装置においてＣＣＡプロシージャを実行することを含み得る。
【０２０８】
[0226]ブロック１５０５、１５１０、または１５１５における（１つまたは複数の）動作は、図６または図８を参照しながら説明したワイヤレス通信管理構成要素６２０または８６０、あるいは図６を参照しながら説明したダウンリンクアップリンク送信構成処理構成要素６４０を使用して実行され得る。
【０２０９】
[0227]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０２１０】
[0228]図１６は、本開示の様々な態様による、ワイヤレス通信のための例示的な方法１６００を示すフローチャートである。明快のために、方法１６００について、図１、図２、図４Ａ、図４Ｂ、または図８を参照しながら説明したＵＥ１１５、２１５、２１５−ａ、２１５−ｂ、２１５−ｃ、４１５、４１５−ａ、または６１５のうちの１つまたは複数の態様、あるいは図６を参照しながら説明した装置６１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２１１】
[0229]ブロック１６０５において、方法１６００は、ＰＣＣ上で、ＳＣＣ上のＲＡＣＨリソースについての要求を送信することを含み得る。いくつかの例では、ＳＣＣ上のＲＡＣＨリソースについての要求は、ＰＨＹ信号中で、ＳＲ中で、ＭＡＣ制御要素中で、またはＵＣＩと多重化されてのうちの少なくとも１つで送信され得る。
【０２１２】
[0230]ブロック１６１０において、方法１６００は、ＳＣＣ上のＲＡＣＨリソースについての要求を送信したことに応答して、ＳＣＣ上でＲＡＣＨオケージョンの指示とＲＡＣＨリソースの指示とを受信することを含み得る。
【０２１３】
[0231]方法１６００のいくつかの例では、ＰＣＣは、専用無線周波数スペクトル帯域または共有無線周波数スペクトル帯域のうちの１つ中にあり得、ＳＣＣは、共有無線周波数スペクトル帯域中にあり得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。専用無線周波数スペクトル帯域は、無線周波数スペクトル帯域が何らかの使用のために一部のユーザに認可されているので、送信装置がそれのためにアクセスを求めて競合しないことがある無線周波数スペクトル帯域（たとえば、ＬＴＥ／ＬＴＥ−Ａ通信のために使用可能な認可無線周波数スペクトル帯域）を含み得る。
【０２１４】
[0232]ブロック１６０５または１６１０における（１つまたは複数の）動作は、図６または図８を参照しながら説明したワイヤレス通信管理構成要素６２０または８６０、あるいは図６を参照しながら説明したＲＡＣＨ管理構成要素６４５を使用して実行され得る。
【０２１５】
[0233]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０２１６】
[0234]図１７は、本開示の様々な態様による、ワイヤレス通信のための例示的な方法１７００を示すフローチャートである。明快のために、方法１７００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図６を参照しながら説明した装置６１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２１７】
[0235]ブロック１７０５において、方法１７００は、共有無線周波数スペクトル帯域上で基地局からチャネル予約信号を受信することを含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、チャネル予約信号はＤ−ＣＵＢＳを含み得る。いくつかの例では、チャネル予約信号は、アップリンク専用モードを示すＰＦＦＩＣＨを含み得る。
【０２１８】
[0236]いくつかの例では、チャネル予約信号は、共有無線周波数スペクトル帯域にアクセスし、ＣＣＡプロシージャを実行し、アップリンク送信が、方法１７００を実行するＵＥまたは装置によって行われることになる直前に共有無線周波数スペクトル帯域が利用可能であると決定する基地局によって送信され得る。いくつかの例では、基地局は、ダウンリンクデータまたは他の基準信号なしにチャネル予約信号を送信し、実現可能なときにスリープ状態に入り得る。他の例では、チャネル予約信号は、アップリンク専用モードの開始を識別するＰＦＦＩＣＨを含み得る。
【０２１９】
[0237]ブロック１７１０において、方法１７００は、チャネル予約信号を受信すると、共有無線周波数スペクトル帯域へのアクセスを求めて競合することなしに、共有無線周波数スペクトル帯域上で、基地局へのアップリンク送信を開始することを含み得る。いくつかの例では、アップリンク送信は別のアップリンク送信によって先行され得る。
【０２２０】
[0238]ブロック１７０５または１７１０における（１つまたは複数の）動作は、図６または図８を参照しながら説明したワイヤレス通信管理構成要素６２０または８６０、あるいは図６を参照しながら説明した基地局トリガアップリンク管理構成要素６５０を使用して実行され得る。
【０２２１】
[0239]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０２２２】
[0240]図１８は、本開示の様々な態様による、ワイヤレス通信のための例示的な方法１８００を示すフローチャートである。明快のために、方法１８００について、図１、図２、図４Ａ、図４Ｂ、または図８を参照しながら説明したＵＥ１１５、２１５、２１５−ａ、２１５−ｂ、２１５−ｃ、４１５、４１５−ａ、または８１５のうちの１つまたは複数の態様、あるいは図６を参照しながら説明した装置６１５の態様に関して、以下で説明する。いくつかの例では、ＵＥまたは装置は、以下で説明する機能を実行するようにＵＥまたは装置の機能要素を制御するためのコードの１つまたは複数のセットを実行し得る。追加または代替として、ＵＥまたは装置は、専用ハードウェアを使用して、以下で説明する機能のうちの１つまたは複数を実行し得る。
【０２２３】
[0241]ブロック１８０５において、方法１８００は、基地局から、第１のサービングセルと第２のサービングセルとがコロケートされるかどうかの指示を受信することを含み得る。いくつかの例では、基地局は、第１のサービングセルと第２のサービングセルとがコロケートされるとき、または第１のサービングセルと第２のサービングセルとが理想的な（たとえば、低レイテンシ）バックホールによって接続されるとき、指示を取得し、送信し得る。
【０２２４】
[0242]ブロック１８１０において、方法１８００は、第１のサービングセルと第２のサービングセルとがコロケートされるかどうかを決定することを含み得る。第１のサービングセルと第２のサービングセルとがコロケートされると決定されたとき、方法１８００はブロック１８１５において続き得る。第１のサービングセルと第２のサービングセルとがコロケートされないと決定されたとき、方法１８００はブロック１８２０において続き得る。いくつかの例では、第１のサービングセルと第２のサービングセルとは同じＴＡＧに属し得るが、コロケートされないことがある。
【０２２５】
[0243]ブロック１８１５において、方法１８００は、第１のサービングセルと第２のサービングセルとがコロケートされるという指示を受信することに少なくとも部分的に基づいて第２のサービングセルの情報を決定するために第１のサービングセルの情報を使用することを含み得る。いくつかの例では、第１のサービングセルの情報は、第１の時間追跡、第１の周波数追跡、第１のドップラー追跡、または第１の経路損失測定値のうちの少なくとも１つを含み得、第２のサービングセルの情報は、第２の時間追跡、第２の周波数追跡、第２のドップラー追跡、または第２の経路損失測定値のうちの少なくとも１つを含み得る。
【０２２６】
[0244]ブロック１８２０において、方法１８００は、第１のサービングセルと第２のサービングセルとの間の情報共有による劣化を防ぐために、第１のサービングセルと第２のサービングセルとがコロケートされないという決定を使用することを含み得る。
【０２２７】
[0245]方法１８００のいくつかの例では、第１のサービングセルと第２のサービングセルの一方または両方は、専用無線周波数スペクトル帯域上で、方法１８００を実行するＵＥまたは装置と通信し得るか、あるいは第１のサービングセルと第２のサービングセルの一方または両方は共有無線周波数スペクトル帯域上でＵＥまたは装置と通信し得る。いくつかの例では、第１のサービングセルと第２のサービングセルとのうちの一方は、ＵＥまたは装置のためのＰＣｅｌｌであり得、第１のサービングセルと第２のサービングセルとのうちの他方は、ＵＥまたは装置のためのＳＣｅｌｌであり得る。他の例では、第１のサービングセルと第２のサービングセルとのうちの少なくとも１つは、ＵＥまたは装置のためのＳＣｅｌｌであり得る。専用無線周波数スペクトル帯域は、無線周波数スペクトル帯域が何らかの使用のために一部のユーザに認可されているので、送信装置がそれのためにアクセスを求めて競合しないことがある無線周波数スペクトル帯域（たとえば、ＬＴＥ／ＬＴＥ−Ａ通信のために使用可能な認可無線周波数スペクトル帯域）を含み得る。共有無線周波数スペクトル帯域は、送信装置がそれのためにアクセスを求めて競合し得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０２２８】
[0246]方法１８００のいくつかの例では、サービングセルがコロケートされるかどうかの指示がサービングセルの各ペアについて受信され得るか、またはコロケートされたサービングセルの（１つまたは複数の）リストが受信され得る。
【０２２９】
[0247]ブロック１８０５、１８１０、１８１５、または１８２０における（１つまたは複数の）動作は、図６または図８を参照しながら説明したワイヤレス通信管理構成要素６２０または８６０、あるいは図６を参照しながら説明したサービングセル情報管理構成要素６５５を使用して実行され得る。
【０２３０】
[0248]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０２３１】
[0249]いくつかの例では、図１０、図１１、図１２、図１３、図１４、図１５、図１６、図１７、または図１８を参照しながら説明した方法１０００、１１００、１２００、１３００、１４００、１５００、１６００、１７００、または１８００の（１つまたは複数の）動作が組み合わせられ得る。
【０２３２】
[0250]本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２３３】
[0251]添付の図面に関して上記に記載された詳細な説明は、例について説明しており、実装され得るまたは特許請求の範囲内に入る例のすべてを表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０２３４】
[0252]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２３５】
[0253]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２３６】
[0254]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２３７】
[0255]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含み得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２３８】
[0256]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ユーザ機器（ＵＥ）におけるワイヤレス通信のための方法であって、
半静的パーシャルサブフレーム構成と、対応するパーシャルサブフレーム識別子とを受信することと、
パーシャルサブフレームのための許可を受信すること、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を備える、方法。
［Ｃ２］
無線リソース制御（ＲＲＣ）メッセージ中で前記半静的パーシャルサブフレーム構成を受信すること
をさらに備える、Ｃ１に記載の方法。
［Ｃ３］
前記半静的パーシャルサブフレーム構成が、少なくともリソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、Ｃ１に記載の方法。
［Ｃ４］
動的パーシャルサブフレーム構成を受信することと、
前記動的パーシャルサブフレーム構成に少なくとも部分的に基づいて、前記パーシャルサブフレームに関してスケジュールされた前記データを受信することと、
をさらに備える、Ｃ１に記載の方法。
［Ｃ５］
前記半静的パーシャルサブフレーム構成が、時間領域多重化（ＴＤＭ）構成または周波数領域多重化（ＦＤＭ）構成のうちの少なくとも１つを備える、Ｃ１に記載の方法。
［Ｃ６］
前記パーシャルサブフレームのための前記許可が、少なくともハイブリッド自動再送要求（ＨＡＲＱ）識別子（ＩＤ）、または再送信インデックス、または新規データインジケータ（ＮＤＩ）、あるいはそれらの組合せを備える、Ｃ１に記載の方法。
［Ｃ７］
前記許可が専用無線周波数スペクトル帯域上で受信される、Ｃ１に記載の方法。
［Ｃ８］
前記半静的パーシャルサブフレーム構成に少なくとも部分的に基づいて、前記共有無線周波数スペクトル帯域上で複数のパーシャルサブフレームに関してスケジュールされたデータを受信すること
をさらに備える、Ｃ１に記載の方法。
［Ｃ９］
少なくとも１つのフルサブフレーム中で、前記パーシャルサブフレーム中で最初に送信されたデータの再送信を受信すること
をさらに備える、Ｃ１に記載の方法。
［Ｃ１０］
前記半静的パーシャルサブフレーム構成が、サブフレームの始端において、またはサブフレームの終端において生じるパーシャルサブフレームのためのものである、Ｃ１に記載の方法。
［Ｃ１１］
前記半静的パーシャルサブフレーム構成は、前記半静的パーシャルサブフレーム構成が適用されるパーシャルサブフレームのタイプを示す、Ｃ１に記載の方法。
［Ｃ１２］
前記パーシャルサブフレームタイプがパーシャルサブフレームの長さに少なくとも部分的に基づき得る、Ｃ１に記載の方法。
［Ｃ１３］
前記パーシャルサブフレームの前記長さに少なくとも部分的に基づいて、前記パーシャルサブフレームがアップリンクパーシャルサブフレームであるのかダウンリンクパーシャルサブフレームであるのかを決定すること
をさらに備える、Ｃ１２に記載の方法。
［Ｃ１４］
前記パーシャルサブフレームがアップリンクパーシャルサブフレームであるかどうかを決定した後に、
最初のまたは最後のパーシャルサブフレームの少なくとも１つのパラメータを調整すること
をさらに備える、Ｃ１３に記載の方法。
［Ｃ１５］
前記少なくとも１つのパラメータを調整することが、
所定の構成のリストから選択すること
をさらに備え得る、Ｃ１４に記載の方法。
［Ｃ１６］
前記半静的パーシャルサブフレーム構成が適用されるパーシャルサブフレームの数、前記半静的パーシャルサブフレーム構成が適用されるダウンリンクバーストの数、前記半静的パーシャルサブフレーム構成が適用される持続時間、または代替指示が受信されるまで前記半静的パーシャルサブフレーム構成が適用されるという指示のうちの少なくとも１つの指示を受信すること
をさらに備える、Ｃ１に記載の方法。
［Ｃ１７］
ユーザ機器（ＵＥ）におけるワイヤレス通信のための装置であって、
半静的パーシャルサブフレーム構成と、対応するパーシャルサブフレーム識別子とを受信するための手段と、
パーシャルサブフレームのための許可を受信するための手段、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信するための手段と、
を備える、装置。
［Ｃ１８］
無線リソース制御（ＲＲＣ）メッセージ中で前記半静的パーシャルサブフレーム構成を受信するための手段
をさらに備える、Ｃ１７に記載の装置。
［Ｃ１９］
前記半静的パーシャルサブフレーム構成が、少なくともリソースブロック（ＲＢ）割振りタイプ、またはＲＢ割振り、または送信ランク、または変調およびコーディング方式（ＭＣＳ）、またはトランスポートブロックサイズ（ＴＢＳ）テーブル、あるいはそれらの組合せを備える、Ｃ１７に記載の装置。
［Ｃ２０］
動的パーシャルサブフレーム構成を受信するための手段と、
前記動的パーシャルサブフレーム構成に少なくとも部分的に基づいて、前記パーシャルサブフレームに関してスケジュールされた前記データを受信するための手段と、
をさらに備える、Ｃ１７に記載の装置。
［Ｃ２１］
前記半静的パーシャルサブフレーム構成が、時間領域多重化（ＴＤＭ）構成または周波数領域多重化（ＦＤＭ）構成のうちの少なくとも１つを備える、Ｃ１７に記載の装置。
［Ｃ２２］
前記パーシャルサブフレームのための前記許可が、少なくともハイブリッド自動再送要求（ＨＡＲＱ）識別子（ＩＤ）、または再送信インデックス、または新規データインジケータ（ＮＤＩ）、あるいはそれらの組合せを備える、Ｃ１７に記載の装置。
［Ｃ２３］
前記許可が専用無線周波数スペクトル帯域上で受信される、Ｃ１７に記載の装置。
［Ｃ２４］
前記半静的パーシャルサブフレーム構成に少なくとも部分的に基づいて、前記共有無線周波数スペクトル帯域上で複数のパーシャルサブフレームに関してスケジュールされたデータを受信するための手段
をさらに備える、Ｃ１７に記載の装置。
［Ｃ２５］
少なくとも１つのフルサブフレーム中で、前記パーシャルサブフレーム中で最初に送信されたデータの再送信を受信するための手段
をさらに備える、Ｃ１７に記載の装置。
［Ｃ２６］
前記半静的パーシャルサブフレーム構成が、サブフレームの始端において、またはサブフレームの終端において生じるパーシャルサブフレームのためのものである、Ｃ１７に記載の装置。
［Ｃ２７］
前記半静的パーシャルサブフレーム構成は、前記半静的パーシャルサブフレーム構成が適用されるパーシャルサブフレームのタイプを示す、Ｃ１７に記載の装置。
［Ｃ２８］
パーシャルサブフレームの前記タイプがパーシャルサブフレームの長さに少なくとも部分的に基づき得る、Ｃ２７に記載の装置。
［Ｃ２９］
ユーザ機器（ＵＥ）におけるワイヤレス通信のための装置であって、
プロセッサと、
前記プロセッサと電子通信しているメモリと
を備え、
前記プロセッサおよびメモリは、
半静的パーシャルサブフレーム構成と、対応するパーシャルサブフレーム識別子とを受信することと、
パーシャルサブフレームのための許可を受信すること、ここで、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を行うように構成された、装置。
［Ｃ３０］
ワイヤレス通信のためのコンピュータ実行可能コードを記憶する非一時的コンピュータ可読媒体であって、前記コードは、
半静的パーシャルサブフレーム構成と、対応するパーシャルサブフレーム識別子とを受信することと、
パーシャルサブフレームのための許可を受信すること、前記許可が前記パーシャルサブフレーム識別子を識別する、と、
前記半静的パーシャルサブフレーム構成に少なくとも部分的に基づいて、共有無線周波数スペクトル帯域上で前記パーシャルサブフレームに関してスケジュールされたデータを受信することと、
を少なくとも１つのプロセッサに行わせる、非一時的コンピュータ可読媒体。
【図１】
0006408169.tif 000002
【図２】
0006408169.tif 000003
【図３】
0006408169.tif 000004
【図４Ａ】
0006408169.tif 000005
【図４Ｂ】
0006408169.tif 000006
【図５】
0006408169.tif 000007
【図６】
0006408169.tif 000008
【図７】
0006408169.tif 000009
【図８】
0006408169.tif 000010
【図９】
0006408169.tif 000011
【図１０】
0006408169.tif 000012
【図１１】
0006408169.tif 000013
【図１２】
0006408169.tif 000014
【図１３】
0006408169.tif 000015
【図１４】
0006408169.tif 000016
【図１５】
0006408169.tif 000017
【図１６】
0006408169.tif 000018
【図１７】
0006408169.tif 000019
【図１８】
0006408169.tif 000020